(57)【特許請求の範囲】
【請求項１】
槽体の底面に設けられた排水口を遠隔的に開閉する遠隔操作式排水栓装置であって、
排水口の開閉を操作する操作部を、
槽体、もしくは槽体の近傍の壁面に設けた貫通孔Ｈと、
筒形状を成し、該貫通孔Ｈ周縁の裏側の面に取り付けられる操作部本体１と、
操作部本体１内部に収納固定される操作軸支持部２と、
操作軸支持部２に、貫通孔Ｈの表面に対して略垂直方向に進退自在に備えられ、進退する
ことで排水口の開閉を行う操作軸２ａと、
操作軸２ａの端部に取り付けられるボタン部材３と、
排水口が閉口または開口した静止状態におけるボタン部材３の表側の面が、貫通孔Ｈの周
縁の表側の面と略同一面となるように固定するための位置調節機構と、
から構成されたことを特徴とする、遠隔操作式排水栓装置。
【請求項２】
上記遠隔操作式排水栓装置において、
操作部本体１と操作軸支持部２の間で、操作軸２ａの軸方向に対して位置を調節し、固定するように位置調節機構を設けたことを特徴とする、請求項１に記載の遠隔操作式排水栓装置。
【請求項３】
上記遠隔操作式排水栓装置において、
操作軸２ａとボタン部材３の間で、操作軸２ａの軸方向に対して位置を調節し、固定するように位置調節機構を設けたことを特徴とする、請求項１に記載の遠隔操作式排水栓装置。
【請求項４】
上記遠隔操作式排水栓装置において、
位置調節機構が、
操作部本体１、操作軸支持部２、操作軸２ａ、ボタン部材３、の各部材の内、少なくとも一つの部材を二つ以上の部品から構成し、
該二つ以上の部品間で、操作軸２ａの軸方向に対して位置を調節し、固定するように位置調節機構を設けたことを特徴とする、請求項１に記載の遠隔操作式排水栓装置。
【請求項５】
上記遠隔操作式排水栓装置において、
位置調節機構による位置調節が、一定のピッチを単位として行われるように構成されると共に、
更に、遠隔操作式排水栓装置に、
ボタン部材３を操作軸２ａの反対方向に付勢する弾性部材４と、
ボタン部材３が操作部から飛び出すことを防止する係止機構と、
を備え、
ボタン部材３を押し込んだ場合に、係止機構によるボタン部材３の係止状態から、ボタン部材３が操作軸２ａを押し込むまでの空押し込みの幅が、貫通孔Ｈの周縁の面からボタン部材３表面までの突出寸法と同じか、又は若干大きな幅となるように構成したことを特徴とする、請求項１乃至請求項４のいずれか一つに記載の遠隔操作式排水栓装置。
【請求項６】
槽体の底面に設けられた排水口を遠隔的に開閉する遠隔操作式排水栓装置であって、
排水口の開閉を操作する操作部を、
槽体、もしくは槽体の近傍の壁面に設けた貫通孔Ｈと、
筒形状を成し、該貫通孔Ｈ周縁の裏側の面に取り付けられる操作部本体１と、
操作部本体１内部に収納固定される操作軸支持部２と、
操作軸支持部２に、貫通孔Ｈの表側の面に対して略垂直方向に進退自在に備えられ、進退することで排水口の開閉を行う操作軸２ａと、
操作軸２ａの端部に、操作軸２ａの軸方向に進退自在に取り付けられるボタン部材３と、
ボタン部材３を操作軸２ａの反対方向に付勢する弾性部材４と、
ボタン部材３が操作部から飛び出すことを防止する係止機構と、
から構成し、
槽体の表側からは、操作部の部材の内、ボタン部材だけが露出するようにし、
更に、ボタン部材３の表側の面が、貫通孔Ｈ周縁の表側の面と同じか、それよりも奥側に押し込まれた位置に移動した状態となった場合に、ボタン部材３が操作軸２ａを押し込むように構成したことを特徴とする、遠隔操作式排水栓装置。
【請求項７】
上記遠隔操作式排水栓装置において、
貫通孔Ｈの周縁に、貫通孔Ｈの表側から裏側に向けて拡がるテーパー面５を設け、
ボタン部材３の側面に、該テーパー面５と当接する当接面６を設け、
排水口が閉口または開口した静止状態において、テーパー面５と当接面６とが当接して、ボタン部材３の表側の面が、貫通孔Ｈの周縁の表側の面と略同一面となるように構成したことを特徴とする、上記請求項６に記載の遠隔操作式排水栓装置。
【請求項８】
上記遠隔操作式排水栓装置において、
操作部本体１を、貫通孔Ｈ裏面に取り付けられるアダプター部材１ａと、
該アダプター部材１ａに下方から接続される、操作軸支持部２を収納した支持部収納部材１ｂと、
から構成したことを特徴とする、請求項１乃至請求項７のいずれか一つに記載の遠隔操作式排水栓装置。
【請求項９】
上記遠隔操作式排水栓装置において、
遠隔操作式排水栓装置の施工完了後に、操作部本体１と操作軸支持部２との固定を解除して、貫通孔Ｈから槽体の表側に操作軸支持部２を取り出すことを可能としたことを特徴とする、請求項８に記載の遠隔操作式排水栓装置。
【請求項１０】
槽体の底面に設けられた排水口を遠隔的に開閉する遠隔操作式排水栓装置と該遠隔操作式排水栓装置の位置決め冶具７であって、
排水口の開閉を操作する、遠隔操作式排水栓装置の操作部を、
槽体、もしくは槽体の近傍の壁面に設けた貫通孔Ｈと、
貫通孔Ｈ上に配置され、貫通孔Ｈの表側の面に対して略垂直方向に押し込まれることで排水口の開閉を行うボタン部材３と、
排水口が閉口または開口した静止状態において、ボタン部材３の表側の面が、貫通孔Ｈの周縁の表側の面と略同一面となった状態にて固定するための位置調節機構と、を備えて構成し、
位置決め冶具７を、
該貫通孔Ｈの表側の面の周縁に当接する当接リブ７ａと、
貫通孔Ｈ内に挿通される、位置決めリブから軸方向に一定の幅を備えた取り合い調整部７ｂと、を備えて構成し、
取り合い調整部７ｂを貫通孔Ｈに挿通し、当接リブ７ａを貫通孔Ｈ周縁の表側の面に当接させた状態で、
取り合い調整部７ｂによって制限されるまで、位置調節機構を、施工完了時ボタン部材３が貫通孔Ｈ周縁の表側の面から突出する方向に調節して固定することで、
施工完了時、排水口が閉口または開口した静止状態におけるボタン部材３の表側の面が、
貫通孔Ｈの周縁の表側の面と略同一面となるように位置調節機構が位置を調節されることを特徴とする、遠隔操作式排水栓装置と該遠隔操作式排水栓装置の位置決め冶具。
【請求項１１】
上記遠隔操作式排水栓装置と該遠隔操作式排水栓装置の位置決め冶具において、
位置決め冶具７を遠隔操作式排水栓装置に着脱自在に固定する冶具固定機構を備えたことを特徴とする、
請求項１０に記載の遠隔操作式排水栓装置と該遠隔操作式排水栓装置の位置決め冶具。
【発明の詳細な説明】
【技術分野】
【０００１】
本発明は洗面台、流し台、浴槽などの槽体の底面に設けられた排水口を、遠隔操作により開閉する、遠隔操作式排水栓装置に関するものであって、更に詳しくは、遠隔操作式排水栓装置の操作部の取り付け構造と、その施工の際に使用する位置決め冶具に関するものである。
【背景技術】
【０００２】
従来より、本発明は洗面台、流し台、浴槽などの槽体の底面には、排水を下水側に排出するために、排水口を備えた排水装置が備えられている。これらのうち、特に排水口から離れた場所に備えた操作部に操作を加えることで、排水口の開閉を行う事が出来る排水装置を、特に、遠隔操作式排水栓装置と呼ぶ。以下に遠隔操作式排水栓装置の第一の従来例を、図３８を参照しつつ説明する。
【０００３】
図３８に図示した操作部を採用した第一の従来例の遠隔操作式排水栓装置は、以下に記載した排水栓本体、弁部材、弁支持部材、レリースワイヤ、操作部、エルボ部材、より構成されてなる。
排水栓本体は、内部に排水口を形成する略円筒形状の部材であって、その外側面に雄ネジ部を備えてなる。
弁部材は、上記排水口を閉口する円盤状の弁体と、該弁体の下面中央に設けられた嵌合部よりなる。
支持部材は、排水口内に収納固定される部材であって、後述するレリースワイヤの端部を接続固定した状態で、排水口内に収納固定される。
レリースワイヤは、側面方向に可撓性を備え軸方向に剛性を備えた中空のアウターチューブと、該アウターチューブ内部に収納され、軸方向に摺動自在に動作するインナーワイヤと、インナーワイヤの一方の端部に備えられ、その先端が上記弁体の嵌合部に嵌合する弁軸部と、インナーワイヤを操作部側に付勢する戻りスプリング（図示せず）と、からなる。
エルボ部材は、排水栓本体の雄ネジ部と螺合する雌ネジ部を設けた開口部、前記排水口から流れ込む排水を下水側に排出するための排出口、及びレリースワイヤを相通する挿通筒を備えてなる。
操作部は、以下に記載する操作部本体と、ナット部材と、操作軸支持部と、ボタン部材からなる。
操作部本体は、略円筒形状にして、円筒形状の上端部分の外側面には周縁に沿って連続して外側方向に突出した鍔部を、円筒形状の下端部分の内側面には周縁に沿って連続して内側方向に突出した突出部分を、それぞれ設けてなる。また、操作部本体の側面であって、鍔部の下方に雄ネジ部を備えてなる。
ナット部材は、操作部本体の雄ネジ部と螺合する雌ネジ部を備えてなる。
操作軸支持部は、円筒形状の部材であって、その下端部分には、施工完了時レリースワイヤのアウターチューブの一端が接続されると共に、その内部に、下端がインナーワイヤに当接する操作軸を備えてなる。また、操作軸支持部の内部には、施工完了時レリースワイヤの戻りスプリングを利用して機能する、スラストロック機構と呼ばれる機構を備えてなる。該スラストロック機構は、操作軸に上方から押し込み操作を加える毎に、操作軸を前進（降下）して固定／固定を解除してレリースワイヤのインナーワイヤに付勢されて後退（上昇）、を繰り返すように動作する。
ボタン部材は、操作部本体の内周面よりも若干小径な外径を有した円板状の部材であって、下面中央に円筒部を備え、この円筒部が操作軸の先端と嵌合するように構成されてなる。
また、上記各部材からなる遠隔操作式排水栓装置は、以下に記載したような槽体である浴槽に施工される。
浴槽は、上方が開口した箱体であって、底面には排水栓を取り付ける排水栓取付孔を、上方の開口の周縁には操作部を取り付ける貫通孔を、それぞれ設けてなる。
【０００４】
上記のように構成した遠隔操作式排水栓装置を槽体である浴槽に取り付ける場合、まず、浴槽等に設けた排水栓取付孔の周縁を介して排水栓本体とエルボ部材を螺合させ、排水栓取付孔に排水栓本体とエルボ部材を取り付け固定する。
次に、浴槽上縁部に設けられた貫通孔に、操作部本体を挿通し、貫通孔の周縁上面に、操作部本体の鍔部下面が当接した状態で、下方からナット部材を操作部本体に螺合させて、貫通孔の周縁を鍔部とナット部材とで挟持させて、操作部本体を貫通孔に取り付け固定する。
更にレリースワイヤを、操作軸支持部材に接続した上で、弁軸側から操作部本体に挿入し、操作部本体内に操作軸支持部を収納固定する。
また、レリースワイヤの先端を、エルボ部材の挿通筒に挿通した上で、排水口内部から、ラジオペンチなどの治具を利用しつつ、浴槽内部側に引き上げる。
この状態より、レリースワイヤの端部を支持部材に接続し、更に支持部材を排水口内に取り付け固定する。その後、インナーワイヤ端部の弁軸部を、弁部材の嵌合部に嵌合させる。
更に操作軸に、ボタン部材を嵌合させて、遠隔操作式排水栓装置の取り付けが完了する。
【０００５】
上記第一の従来例の遠隔操作式排水栓装置を使用する場合、まず操作部のボタン部材に操作を加えて弁体が排水口を閉口した状態、即ちレリースワイヤのインナーワイヤが操作部側に後退し、弁部材が降下した状態とする。この状態よりボタン部材に押し込み操作を加えて、インナーワイヤを排水口側に前進させると、インナーワイヤ先端の弁軸部が上昇して弁部材を押上げ、弁体が上昇して排水口を開口する。この開口状態は、スラストロック機構によって維持固定される。
この状態よりボタン部材に再度押し込み操作を加えてスラストロック機構の操作軸の固定状態を解除すると、弁部材の自重や戻りスプリングの作用により、インナーワイヤが操作部側に後退し、弁軸部が下降するため、弁軸部に押し上げられていた弁部材も降下して弁体が排水口を閉口する。以後この操作を繰り返すことで排水口の開閉を自在に操作することができる。
【０００６】
上記第一の従来例の遠隔操作式排水栓装置によれば、操作部を取り付ける貫通孔を備えた壁面と、操作部本体、特に鍔部との間に、継ぎ目部分が生じることとなる。
鍔部と槽体内面とは素材が異なる場合が多く、色調、質感に相違が生じて意匠性が悪くなる。また、継ぎ目部分はデザイン的には不要な凹凸であり、決して見栄えが良い物ではなく、この点でも意匠性が悪化する。
また、この継ぎ目部分に槽体内の排水などが触れると、表面張力によってそのまま排水が残り、排水が蒸発した時排水中のゴミや塵芥などが付着する、といった問題がある。また継ぎ目部分の端部は小さな段差になり、ブラシ等が入れにくく、清掃性がきわめて悪くなる、といった問題もあった。
【０００７】
これに対して、貫通孔の開口の下方に操作部本体を取り付け、槽体の表側からは、操作部の部材の内、ボタン部材だけが露出するようにし、少なくとも槽体の表側からフランジ部を無くす、いわゆるフランジレス化と呼ばれる方法が検討されている（あくまで槽体の表側からフランジ部を無くすものであって、槽体の裏側等、使用者の見えない部分にはフランジ部が存在する場合でも、槽体の表側からフランジ部が見えなければフランジレス化と呼ばれる）。例えば特許文献２に示したような、洗面台等によく利用される第二の従来例のように、排水口の開閉に関係なく、常に棒状のボタン部材が貫通孔から突出しているような様態の遠隔操作式排水栓装置の操作部には、単純に操作部本体を貫通孔の周縁の裏側の面に取り付けることで、支障無くフランジレス化を行うことができる。
【０００８】
【特許文献１】特開２００２−８８８５３号公報
【特許文献２】特開２００８−２４０２５８号公報（第二実施例）
【発明の開示】
【発明が解決しようとする課題】
【０００９】
しかしながら、第一の従来例のような、浴槽等に多く採用される遠隔操作式排水栓装置においては、以下のような理由から、単純に操作部本体を操作部の下方から取り付けることでフランジレス化を行うことはできなかった。尚、説明を容易にするため、以下の理由１．乃至理由３において、特に断りのない場合、「ボタン部材の表側の面の位置」に関係する表現は、「排水口が閉口し、且つ使用者が何らかの操作を遠隔操作式排水栓装置に行っていない状態における、ボタン部材の表側の面の位置」を示すものである
理由１．浴槽においては、遠隔操作式排水栓装置の操作部は浴槽の一部、特に浴槽の開口周縁の平端面に操作部を配置する場合が多い。ところで、浴槽、特に住宅用の浴槽においては、浴槽内部の浴湯の温度を保温するため、浴槽の開口に風呂蓋を被せて使用する場合がほとんどである。このため、ボタン部材の表側の面が貫通孔周縁の表側の面よりも突出していると、風呂蓋を被せた際に風呂蓋の重みによってボタン部材が操作部本体のフランジ部の上面と面一となるまで押し込まれ、その結果誤って遠隔操作式排水栓装置が作動して排水口を開口してしまい、浴湯を排出してしまう、という問題があった。例えば浴槽の内部など、風呂蓋を被せてもボタン部材が触れることがない部分に、操作部のボタン部材を配置すれば、風呂蓋を被せることによる誤作動は防止できるが、このようにすると、浴槽内にボタン部材による不必要な凹凸を設けることで浴槽の使用者に不快感を与えるし、更には浴槽の使用者が入浴中にボタン部材の側の壁にもたれかかったり、身体を伸ばしたりする際にボタン部材に触れてしまい、ボタン部材が押し込まれ、やはり遠隔操作式排水栓装置が作動して排水口を開口し、浴湯を排出してしまう、という問題があった。更に付言すれば、そもそも遠隔操作式排水栓装置自体が、「槽体の内部に溜まった排水に触れることなく排水口を開閉して排水を排出したい」という要望に基づいて発明されたものであるから、排水が溜まっている槽体内部に操作部を配置することは本末転倒であると言える。
理由２．上記理由１．に記載された問題を回避するための方法として、ボタン部材や操作軸の長さを設計段階で調整するなどして、ボタン部材の表側の面の位置を、貫通孔の周縁の表側の面の位置とほぼ同じ位置、即ち略同一面とすることができれば、上記した理由１．のような問題は回避できる。しかしながら、浴槽などの槽体の厚みは、品物によってまちまちであり、一定していない（多くは４ミリメートルから１０ミリメートル程度の間である）。これは槽体以外の、槽体の近傍に設けた壁面などでも同様である。このため、例えば操作部を取り付ける貫通孔を設けた壁面を１０ミリメートルとして設計した遠隔操作式排水栓装置を、壁面の厚みが４ミリメートルの槽体に取り付けると、ボタン部材の表側の面は、貫通孔周縁の表側の面から６ミリメートルも突出してしまい、略同一面とならず、前述した理由１．のような問題が生じる。逆に、操作部を取り付ける貫通孔を設けた壁面を４ミリメートルとして設計した遠隔操作式排水栓装置を、壁面の厚みが６ミリメートルの槽体に取り付けると、ボタン部材の表側の面は、貫通孔周縁の表側の面から６ミリメートルも落ちくぼんだ部分に配置されてしまい、略同一面とならず、後述する理由３．のような問題が生じる。
上記のような問題を回避するため、槽体の種類ごとに排水装置本体など操作部の部材を設計・製造すると、極端な多品種・小ロット製造になり、製造コスト・部材管理の面から現実的ではない。また、実際には槽体に貫通孔を開口加工する際の仕上げの状態によって、同じ種類の槽体でも貫通孔周縁の壁面の厚みに個体差が生じる場合があり、設計による操作部の部材の形状調整によって、ボタン部材の表側の面の位置を、貫通孔の周縁の表側の面の位置とほぼ同じ位置、即ち略同一面とすることは困難である。
理由３．上記理由１．に記載された問題を回避するための方法として、ボタン部材や操作軸の長さを設計段階で調整し、ボタン部材の表側の面の位置を、貫通孔の周縁の表側の面の位置よりも落ちくぼんだ位置となるようにする方法が考えられる。例えば、操作部を取り付ける槽体の壁面が４ミリメートルの場合に、ボタン部材の表側の面の位置が、貫通孔の周縁の表側の面の位置より１ミリメートルほど窪んだ位置となるように設計した遠隔操作式排水栓装置では、操作部を壁面の厚みが１０ミリメートルの壁面に設けた貫通孔に取り付けても、ボタン部材は槽体の表側の面から７ミリメートル落ちくぼんだ部分となり、程度の差があるものの、ボタン部材の表側の面の位置が、貫通孔の周縁の表側の面の位置よりも落ちくぼんだ位置となる点は同一である。このように、貫通孔の壁面の厚みに関係なく、ボタン部材の表側の面が、貫通孔の周縁の表側の面の位置よりも常に落ちくぼんだ位置となるように製品を設計することは可能である。また、この構成であれば、浴槽に風呂蓋を被せたり使用者の身体が触れるなどにより遠隔操作式排水栓装置が誤作動することもなくなり、機能的な問題は解決する。しかしながら、このような、ボタン部材の表側の面が、貫通孔の周縁の表側の面の位置よりも常に落ちくぼんだ位置となる構成は、平面上に凹が生じるため、意匠性が極めて悪い。更に、貫通孔内のボタン部材上に排水やゴミが溜まり、外観と共に衛生性も悪くなる。また、貫通孔の内側面とボタン部材の表側の面の周縁部分などは角となり、ブラシ等が入れにくく、清掃性がきわめて悪くなる、といった問題も生じる。結果的には、意匠性また清掃性、衛生性において、第一の従来例よりも悪いものとなってしまい、問題の解決にはほど遠いものとなってしまう。
【００１０】
本発明は、上記の課題に鑑みて成されたものであり、その目的とする処は、従来例においては、操作部の表側の面が、貫通孔周縁の表側の面と略同一とする必要がある遠隔操作式排水栓装置において、操作部のフランジレス化を達成しつつ、浴槽に風呂蓋などを被せるなどしても誤作動が生じることが無く、意匠性また清掃性、衛生性においても従来品より向上した遠隔操作式排水栓装置を提供するものである。
【課題を解決するための手段】
【００１１】
請求項１に記載の本発明は、  槽体の底面に設けられた排水口を遠隔的に開閉する遠隔操作式排水栓装置であって、
排水口の開閉を操作する操作部を、槽体、もしくは槽体の近傍の壁面に設けた貫通孔Ｈと、筒形状を成し、該貫通孔Ｈ周縁の裏側の面に取り付けられる操作部本体１と、操作部本体１内部に収納固定される操作軸支持部２と、操作軸支持部２に、貫通孔Ｈの表面に対して略垂直方向に進退自在に備えられ、進退することで排水口の開閉を行う操作軸２ａと、操作軸２ａの端部に取り付けられるボタン部材３と、排水口が閉口または開口した静止状態におけるボタン部材３の表側の面が、貫通孔Ｈの周縁の表側の面と略同一面となるように固定するための位置調節機構と、から構成されたことを特徴とする、遠隔操作式排水栓装置である。
尚、「静止状態」とは、排水口が開口又は閉口した状態であって、且つ使用者が何らかの操作を遠隔操作式排水栓装置に行っていない状態を示すものである。
【００１２】
請求項２に記載の本発明は、上記遠隔操作式排水栓装置において、操作部本体１と操作軸支持部２の間で、操作軸２ａの軸方向に対して位置を調節し、固定するように位置調節機構を設けたことを特徴とする、段落００１１に記載の遠隔操作式排水栓装置である。
【００１３】
請求項３に記載の本発明は、上記遠隔操作式排水栓装置において、操作軸２ａとボタン部材３の間で、操作軸２ａの軸方向に対して位置を調節し、固定するように位置調節機構を設けたことを特徴とする、、段落００１１に記載の遠隔操作式排水栓装置である。
【００１４】
請求項４に記載の本発明は、上記遠隔操作式排水栓装置において、位置調節機構が、操作部本体１、操作軸支持部２、操作軸２ａ、ボタン部材３、の各部材の内、少なくとも一つの部材を二つ以上の部品から構成し、該二つ以上の部品間で、操作軸２ａの軸方向に対して位置を調節し、固定するように位置調節機構を設けたことを特徴とする、段落００１１に記載の遠隔操作式排水栓装置である。
【００１５】
請求項５に記載の本発明は、上記遠隔操作式排水栓装置において、位置調節機構による位置調節が、一定のピッチを単位として行われるように構成されると共に、更に、遠隔操作式排水栓装置に、ボタン部材３を操作軸２ａの反対方向に付勢する弾性部材４と、ボタン部材３が操作部から飛び出すことを防止する係止機構と、を備え、ボタン部材３を押し込んだ場合に、係止機構によるボタン部材３の係止状態から、ボタン部材３が操作軸２ａを押し込むまでの空押し込みの幅が、貫通孔Ｈの周縁の面からボタン部材３表面までの突出寸法と同じか、又は若干大きな幅となるように構成したことを特徴とする、段落００１１乃至段落００１４のいずれか一つに記載の遠隔操作式排水栓装置である。
【００１６】
請求項６に記載の本発明は、槽体の底面に設けられた排水口を遠隔的に開閉する遠隔操作式排水栓装置であって、
排水口の開閉を操作する操作部を、槽体、もしくは槽体の近傍の壁面に設けた貫通孔Ｈと、筒形状を成し、該貫通孔Ｈ周縁の裏側の面に取り付けられる操作部本体１と、操作部本体１内部に収納固定される操作軸支持部２と、操作軸支持部２に、貫通孔Ｈの表側の面に対して略垂直方向に進退自在に備えられ、進退することで排水口の開閉を行う操作軸２ａと、操作軸２ａの端部に、操作軸２ａの軸方向に進退自在に取り付けられるボタン部材３と、ボタン部材３を操作軸２ａの反対方向に付勢する弾性部材４と、ボタン部材３が操作部から飛び出すことを防止する係止機構と、から構成し、
槽体の表側からは、操作部の部材の内、ボタン部材だけが露出するようにし、
更に、ボタン部材３の表側の面が、貫通孔Ｈ周縁の表側の面と同じか、それよりも奥側に押し込まれた位置に移動した状態となった場合に、ボタン部材３が操作軸２ａを押し込むように構成したことを特徴とする、遠隔操作式排水栓装置である。
【００１７】
請求項７に記載の本発明は、上記遠隔操作式排水栓装置において、貫通孔Ｈの周縁に、貫通孔Ｈの表側から裏側に向けて拡がるテーパー面５を設け、ボタン部材３の側面に、該テーパー面５と当接する当接面６を設け、排水口が閉口または開口した静止状態において、テーパー面５と当接面６とが当接して、ボタン部材３の表側の面が、貫通孔Ｈの周縁の表側の面と略同一面となるように構成したことを特徴とする、上記段落００１６に記載の遠隔操作式排水栓装置である。
【００１８】
請求項８に記載の本発明は、上記遠隔操作式排水栓装置において、
操作部本体１を、貫通孔Ｈ裏面に取り付けられるアダプター部材１ａと、
該アダプター部材１ａに下方から接続される、操作軸支持部２を収納した支持部収納部材１ｂと、
から構成したことを特徴とする、段落００１１乃至段落００１７のいずれか一つに記載の遠隔操作式排水栓装置である。
【００１９】
請求項９に記載の本発明は、上記遠隔操作式排水栓装置において、遠隔操作式排水栓装置の施工完了後に、操作部本体１と操作軸支持部２との固定を解除して、貫通孔Ｈから槽体の表側に操作軸支持部２を取り出すことを可能としたことを特徴とする、段落００１８に記載の遠隔操作式排水栓装置である。
【００２０】
請求項１０に記載の本発明は、槽体の底面に設けられた排水口を遠隔的に開閉する遠隔操作式排水栓装置と該遠隔操作式排水栓装置の位置決め冶具７であって、
排水口の開閉を操作する、遠隔操作式排水栓装置の操作部を、槽体、もしくは槽体の近傍の壁面に設けた貫通孔Ｈと、貫通孔Ｈ上に配置され、貫通孔Ｈの表側の面に対して略垂直方向に押し込まれることで排水口の開閉を行うボタン部材３と、排水口が閉口または開口した静止状態において、ボタン部材３の表側の面が、貫通孔Ｈの周縁の表側の面と略同一面となった状態にて固定するための位置調節機構と、を備えて構成し、
位置決め冶具７を、該貫通孔Ｈの表側の面の周縁に当接する当接リブ７ａと、貫通孔Ｈ内に挿通される、位置決めリブから軸方向に一定の幅を備えた取り合い調整部７ｂと、を備えて構成し、
取り合い調整部７ｂを貫通孔Ｈに挿通し、当接リブ７ａを貫通孔Ｈ周縁の表側の面に当接させた状態で、取り合い調整部７ｂによって制限されるまで、位置調節機構を、施工完了時ボタン部材３が貫通孔Ｈ周縁の表側の面から突出する方向に調節して固定することで、施工完了時、排水口が閉口または開口した静止状態におけるボタン部材３の表側の面が、貫通孔Ｈの周縁の表側の面と略同一面となるように位置調節機構が位置を調節されることを特徴とする、遠隔操作式排水栓装置と該遠隔操作式排水栓装置の位置決め冶具である。
【００２１】
請求項１１に記載の本発明は、上記遠隔操作式排水栓装置と該遠隔操作式排水栓装置の位置決め冶具において、位置決め冶具７を遠隔操作式排水栓装置に着脱自在に固定する冶具固定機構を備えたことを特徴とする、段落００２０に記載の遠隔操作式排水栓装置と該遠隔操作式排水栓装置の位置決め冶具である。
【発明の効果】
【００２２】
請求項１に記載の本発明は、遠隔操作式排水栓装置において、操作部に位置調節機構を備えたことによって、貫通孔を設けた壁面の厚みに関係なく、排水口が閉口または開口した静止状態におけるボタン部材の表側の面が、貫通孔の周縁の表側の面と略同一面とすることができるようになった。これによって、遠隔操作式排水栓装置の操作部のフランジレス化を達成しつつ、浴槽に風呂蓋などを被せるなどしても誤作動が生じることが無く、意匠性また清掃性、衛生性においても従来品より向上した遠隔操作式排水栓装置とすることができる。
請求項２乃至請求項４に記載の本発明においては、位置調節機構を採用した遠隔操作式排水栓装置において、位置調整機構の構成を明確なものとすることができる。
請求項５に記載の本発明においては、操作部に位置調節機構を備えた遠隔操作式排水栓装置において、位置調節機構の構成の関係から、ボタン部材の表側の面が、貫通孔周縁の表側の面より若干突出しても、ボタン部材の表側の面が貫通孔周縁の表側の面より奥側に押し込まれない限り、排水口が開閉することのない遠隔操作式排水栓装置とすることができ、遠隔操作式排水栓装置の誤作動を防止することができる。
請求項６に記載の本発明においては、フランジレス化した遠隔操作式排水栓装置において、ボタン部材を、ボタン部材の表側の面が貫通孔周縁の表側の面より奥側に押し込まれない限り、排水口が開閉することのない遠隔操作式排水栓装置とすることができ、遠隔操作式排水栓装置の誤作動を防止することができる。
請求項７に記載の遠隔操作式排水栓装置においては、請求項６に記載の遠隔操作式排水栓装置において、遠隔操作式排水栓装置にテーパー面と当接面を設けたことで、ボタン部材の表側の面が、貫通孔の周縁の表側の面と略同一面となるように構成することができた。
請求項８に記載の遠隔操作式排水栓装置においては、操作部本体を、貫通孔裏面に取り付けられるアダプター部材と、該アダプター部材に下方から接続される支持部収納部材と、から構成し、施工時アダプター部材を貫通孔周縁の裏側に取り付け固定し、更に操作軸支持部を支持部収納部材に収納した状態で、支持部収納部材にアダプター部材を接続固定することで、操作部本体の施工が完了するように構成したことにより、遠隔操作式排水栓装置の操作部においては、事前にアダプター部材を工場にて槽体に取り付け、また同じく工場にて支持部収納部材より排水口側となる遠隔操作式排水栓装置の組み立てを完了させておき、施工現場では、アダプター部材に支持部収納部材を接続させ、操作軸にボタン部材を接続するだけで、操作部の施工が完了する簡易施工の遠隔操作式排水栓装置とすることができる。
請求項９に記載の遠隔操作式排水栓装置においては、施工完了後に、貫通孔から操作軸支持部を取り出すことを可能に構成したことで、遠隔操作式排水栓装置の一部の部材が破損などした場合、槽体の表側からの作業だけで部材交換を行い、修理を可能とした構成としている。
請求項１０に記載の遠隔操作式排水栓装置と該遠隔操作式排水栓装置の位置決め冶具においては、操作部に位置調節機構を備えた遠隔操作式排水栓装置において、位置決め冶具を利用することで、容易にボタン部材の表側の面が、貫通孔の周縁の表側の面と略同一面とする位置に、位置調整機構の位置の調整することができるようになった。
請求項１１に記載の遠隔操作式排水栓装置と該遠隔操作式排水栓装置の位置決め冶具においては、位置決め冶具を利用する遠隔操作式排水栓装置において、位置決め冶具を遠隔操作式排水栓装置に仮固定する仮固定機構を備えたことで、位置調整機構における位置の調整を行う際、位置決め冶具が外れたり適正な状態にならない、という事が無くなり、位置調整機構の位置調整を簡単且つ確実に行うことができる。
【図面の簡単な説明】
【００２３】
【図１】第一実施例の遠隔操作式排水栓装置を示す、一部を切り欠きした参考図である。
【図２】第一実施例の操作部の、部材構成を示す参考図である。
【図３】第一実施例の排水栓本体近傍の、部材構成を示す参考図である。
【図４】第一実施例の遠隔操作式排水栓装置の、工場出荷状態を示す参考図である。
【図５】第一実施例の操作部の施工手順を示す参考図である。
【図６】第一実施例の操作部の施工手順を示す参考図である。
【図７】第一実施例の操作部の施工手順を示す参考図である。
【図８】第一実施例の操作部の、貫通孔周縁の厚みが異なる場合での施工状態を比較した参考図である。
【図９】第一実施例の操作部の動作を示す参考図である。
【図１０】第一実施例の操作部の動作を示す参考図である。
【図１１】第一実施例の操作部の動作を示す参考図である。
【図１２】第一実施例の操作部の動作を示す参考図である。
【図１３】第一実施例の排水装置排水口の開口状態を示す参考図である。
【図１４】第二実施例の遠隔操作式排水栓装置を示す、一部を切り欠きした参考図である。
【図１５】第二実施例の操作部の、部材構成を示す参考図である。
【図１６】第二実施例の操作部の、工場出荷状態を示す参考図である。
【図１７】第二実施例の操作部の施工手順を示す参考図である。
【図１８】第二実施例の操作部の施工手順を示す参考図である。
【図１９】第二実施例の操作部の施工手順を示す参考図である。
【図２０】第二実施例の操作部の動作を示す参考図である。
【図２１】第二実施例の操作部の動作を示す参考図である。
【図２２】第二実施例の操作部の動作を示す参考図である。
【図２３】第二実施例の操作部の動作を示す参考図である。
【図２４】第二実施例の、操作部における部材交換の状態を示す参考図である。
【図２５】第三実施例の操作部を示す参考図である。
【図２６】第三実施例の操作部の、部材構成を示す参考図である。
【図２７】第三実施例の操作部の、工場出荷状態を示す参考図である。
【図２８】第三実施例の操作部の施工手順を示す参考図である。
【図２９】第三実施例の操作部の動作を示す参考図である。
【図３０】第三実施例の操作部の動作を示す参考図である。
【図３１】第三実施例の操作部の動作を示す参考図である。
【図３２】第四実施例の操作部を示す参考図である。
【図３３】第四実施例の操作部の、部材構成を示す参考図である。
【図３４】第四実施例の操作部の、工場出荷状態を示す参考図である。
【図３５】第四実施例の操作部の動作を示す参考図である。
【図３６】第四実施例の操作部の動作を示す参考図である。
【図３７】他の実施例の操作部を示す参考図である。
【図３８】従来の遠隔操作式排水栓装置を示す、一部を切り欠きした参考図である。
【００２４】
以下に、本発明の第一実施例を、図面を参照しつつ説明する。図１乃至図１３に示した、本発明の第一実施例の遠隔操作式排水栓装置は、請求項１、請求項２、請求項５、及び請求項１０に対応する実施例であって、以下に記載する、槽体としての浴槽Ｂ、接続部材、排水栓本体８、支持部材９、弁部材１０、レリースワイヤ１１、操作部、及び位置決め用冶具から構成される。尚、説明を容易にするため、以下の第一実施例乃至第四実施例を含む全ての実施例の説明において、特に断りのない場合、「ボタン部材３の表側の面の位置」に関係する表現は、「排水口が閉口し、且つ使用者が何らかの操作を遠隔操作式排水栓装置に行っていない状態における、ボタン部材３の表側の面の位置」を示すものである。
浴槽Ｂは、上方が開口した箱体であって、底面には浴槽Ｂ内の排水を排出するための、平面視円形を成す槽体排水口１２を、浴槽Ｂの開口周縁には操作部を取り付けるための、平面視円形を成す貫通孔Ｈを、それぞれ設けてなる。また、槽体排水口１２の周縁下面及び貫通孔Ｈの周縁下面には、それぞれビス部材Ｖと螺合するビス穴部１３を備えてなる。また貫通孔Ｈの上面の周縁には、面取り１４と呼ばれる貫通孔Ｈの周縁に沿って設けた傾斜面を、高さ幅１ミリメートル程度の大きさで設けてなる。
接続部材は、槽体排水口１２の下方に取り付けられる略円筒形状の部材であって、内周部分には排水装置排水口１５を形成し、また上縁部分の外周方向には、側面に突出した弁部材１０が当接する止水面１６ａと、該止水面１６ａの更に外周側にビス部材Ｖを挿通するための開口を備えたフランジ部１６を備えてなる。また、外側面部分のほぼ中間部分に、外方向に突出したリブからなる排水栓側係合部１７を備えてなる。
排水栓本体８は、有底略円筒形状を成す部材であって、上縁には外方向に突出した排水栓側係合部１７が備えられてなる。
また、排水栓本体８の下方の側面方向には、槽体排水口１２及び排水装置排水口１５を通過した排水を排出する排出口１８と、レリースワイヤ１１を挿通する為の挿通筒１９を備えてなる。
また、排水栓本体８の内部には、支持部材９と嵌合して支持部材９を支持固定する凹凸部２０を備えてなる。
支持部材９は、排水栓本体８に収納固定される部材であって、後述するレリースワイヤ１１の端部を接続した状態で、排水栓本体８内の凹凸部２０と嵌合することで、レリースワイヤ１１端部を排水栓本体８に対して固定する。また、該支持部材９は排水装置排水口１５の内径よりも小さな外径を備えて構成してなり、排水装置排水口１５及びそれよりも大径な槽体排水口１２から、浴槽Ｂ内部側に取り出すことが可能である。
排水栓側Ｃ字リング２１は断面内向きに開口したコの字を成す、平面視Ｃ字形状の部材であって、排水栓本体８と接続部材とにそれぞれ設けられた排水栓側係合部１７と係合して、排水栓本体８と接続部材とを接続固定する部材である。
弁部材１０は、上記槽体排水口１２の内径よりも若干小径で、止水面１６ａとほぼ同じか若干大径な外径を有する円盤状の弁体１０ａと、該弁体１０ａの下面中央に設けられた嵌合部１０ｂよりなる。また、この弁部材１０の下面のほぼ外縁部分に、止水面１６ａと当接して排水装置排水口１５を閉口する当接部２２を設けてなる。
レリースワイヤ１１は、側面方向に可撓性を備え軸方向に剛性を備えた中空のアウターチューブ１１ａと、該アウターチューブ１１ａ内部に収納され、軸方向に摺動自在に動作するインナーワイヤ１１ｂと、インナーワイヤ１１ｂの一方の端部に備えられ、その先端が上記弁体１０ａの嵌合部１０ｂに嵌合する弁軸部１１ｃと、インナーワイヤ１１ｂを操作部側に付勢する戻りスプリング（図示せず）と、からなる。
操作部は、以下に記載する操作部本体１、操作軸支持部２、ボタン部材３、リング部材２９、から構成されてなる。
操作部本体１は、略円筒形状の部材であって、上方にビス部材Ｖを挿通するための開口を複数設けた鍔部２３を備えてなり、また下方にはスリット部２４を複数箇所設けてなる。また、該スリット部２４によって分けられる、操作部の下端部分の内周面側には、一つ当たりの上下方向の幅が１ミリメートル程度の係止歯２５が上下に数段重なるように設けられてなる。また、該係止歯２５を備えた部分の外周面側には、凹溝２６が周縁に沿って設けられてなる。
操作軸支持部２は、円筒形状の部材であって、その下端部分には、施工完了時レリースワイヤ１１のアウターチューブ１１ａの一端が接続されると共に、その内部に、下端がインナーワイヤ１１ｂに当接する操作軸２ａを備えてなる。また、該操作軸２ａの上端には、上方の側面に周縁に沿って突部２７を備えてなる。
また、操作軸支持部２の内部には、施工完了時レリースワイヤ１１の戻りスプリングを利用して機能する、スラストロック機構と呼ばれる機構を備えてなる。該スラストロック機構は、操作軸２ａに上方から押し込み操作を加える毎に、操作軸２ａを前進（降下）して固定／固定を解除してレリースワイヤ１１のインナーワイヤ１１ｂに付勢されて後退（上昇）、を繰り返すように動作する。
更に該操作軸支持部２の外周面には、上記係止歯２５に係合される、上下方向のピッチ幅が１ミリメートルの被係止段部２８が上下方向に複数段重ねるように設けられてなる。
ボタン部材３は、操作部本体１の内周面よりも若干小径な外径を有した円板状の部材であって、下面中央に円筒部３ａを備え、該円筒部３ａは操作軸２ａを収納した状態で上下にスライドすると共に、下端部内周部分に、操作軸２ａの突部２７と係合し、比較的強い力（通常の使用では生じることはなく、ボタン部材３を意図的に外そうとしない限り生じない程度の力）で引き上げなければ操作軸２ａから外れない抜け止め部３ｂを備えてなる。上記のように、この実施例においては、操作軸２ａの突部２７と、ボタン部材３の抜け止め部３ｂとで、ボタン部材３が操作部から飛び出すことを防止する係止機構を構成してなる。またボタン部材３の外縁部分には、半径１ミリメートルの円弧を円周に沿って設けられてなる。
また、該ボタン部材３の円筒部３ａ内に、スプリングからなる上下方向に伸縮する弾性部材４を備えてなる。該弾性部材４は、ボタン部材３の重量には反発し、上下方向に収縮する事はないが、施工完了時に、ボタン部材３に押し込み操作が行われると、上下方向に１．５ミリメートル程度収縮した後に、操作軸２ａに押し込み操作が伝達されるように構成されてなる。
リング部材２９はリング状に形成された部材であって、施工完了時操作部本体１の凹溝２６に外嵌され、スリット部２４が拡径することを防止する部材である。
位置決め冶具７は、貫通孔Ｈの表側の面の周縁に当接する円盤状の当接リブ７ａと、外径がほぼ操作部本体１の内径と同じ径を成す円筒状の取り合い調整部７ｂと、から成る。
取り合い調整部７ｂの、当接リブ７ａ下面から取り合い調整部７ｂの先端部分までの幅は、施工時、位置決め冶具７の当接リブ７ａを貫通孔Ｈ周縁に当接させた状態で、操作軸支持部２の操作軸２ａ以外の上端が取り合い調整部７ｂの先端部分に当接している位置に固定できれば、施工完了時に、ボタン部材３の表側の面が貫通孔Ｈの周縁の表側の面と略同一面となるように、設計時点で調整されてなる。
【００２５】
以上のように構成した本発明の第一実施例の遠隔操作式排水栓装置は、以下のようにして槽体である浴槽Ｂに施工・取り付けされる。尚詳述はしないが、特に記載の無い場合でも、部材同士の接続箇所において、水密性が必要とされる部分にはパッキングなどを用いて水密的な接続が行われる。
まず工場等において、槽体排水口１２に接続部材を取り付け固定する。槽体排水口１２と接続部材との取り付けにおいては、接続部材を浴槽Ｂの下方に配置した上で、冶具などを利用し、槽体排水口１２と排水装置排水口１５とを同心円状に配置し、フランジ部１６の開口を介してビス部材Ｖをビス穴部１３に螺合させ、接続部材を浴槽Ｂの下方から取り付け固定する。
また、同じく工場にて、以下の手順にて、遠隔操作式排水栓装置の一部の組み立てを行う。
レリースワイヤ１１の弁軸部１１ｃを備えない側の端部に操作軸支持部２を接続した上で、レリースワイヤ１１を操作部本体１に上方から挿通し、操作軸支持部２の被係止段部２８を、操作部本体１の係止歯２５に係合させる。この時、操作軸支持部２は、被係止段部２８が係止歯２５に係合し、且つ操作部本体１の最も上方の位置となるように配置する。
次に、レリースワイヤ１１にリング部材２９を挿通した上で、排水栓本体８の挿通筒１９内部からレリースワイヤ１１を挿通し、排水栓本体８内部にレリースワイヤ１１端部を配置する。更に、レリースワイヤ１１端部を引き上げ、支持部材９にレリースワイヤ１１端部を接続固定した上で、支持部材９を排水栓本体８の凹凸部２０に嵌合させて固定する。
これらの浴槽Ｂや遠隔操作式排水栓装置に対する作業は工場で行われるため、作業空間を広く取ることができ、また作業を容易化する作業台などを設置し、また機材の揃った環境で行うことができる。更に、遠隔操作式排水栓装置の組み立て自体も、浴槽Ｂに接続していないことから、排水栓本体８や操作部本体１などの部材を、作業者が視認しやすく作業しやすい手元に置き、且つ作業しやすい位置・角度に配置したり移動・回転させる等しながら作業を行うことができる。このため、この段階までの遠隔操作式排水栓装置の組み立て作業は、従来例に比較して遙かに容易とすることができる。このようにして、第一実施例の遠隔操作式排水栓装置の排水栓本体８側は、図４の状態まで組み立てられる。
【００２６】
次に、上記段落００２５の段階まで組み立てられた浴槽Ｂ及び遠隔操作式排水栓装置と、その他の部材を、施工現場に搬入する。施工現場では、排水栓本体８側、操作部側にそれぞれ以下のような作業が行われる。
排水栓本体８側では、排水栓本体８の上面の開口に、接続部材の下端部分を挿入し、排水栓本体８の排水栓側係合部１７と、接続部材の排水栓側係合部１７とを当接させる。更に排水栓側Ｃ字リング２１を両排水栓側係合部１７と係合させ、排水栓本体８と接続部材とを接続固定する。
このような接続を行う事で、接続部材と排水栓本体８は高さ方向に対しては常に同じ高さ位置、即ち操作部本体１の操作部側係合部３２と、接続アダプターの操作部側係合部３２とが当接した状態となる高さ位置に接続される。このため、接続部材に設けられた止水面１６ａに対して、排水栓本体８は定まった高さ位置に配置される。
【００２７】
操作部側では、貫通孔Ｈに、位置決め冶具７の取り合い調整部７ｂを挿通する。この時には、図５に示したように、貫通孔Ｈ周縁の上面に、当接リブ７ａの下面が当接するまで挿通する。
この状態より、操作部本体１の内部に、取り合い調整部７ｂを挿通しつつ、操作部を貫通孔Ｈの下方に配置する。この時、位置決め冶具７の取り合い調整部７ｂは、操作部本体１が貫通孔Ｈ周縁の上面に対して傾いたり、位置ずれした状態で施工されることを防ぐガイドとして機能する。更に、操作部本体１を上昇させると、図６に示したように、操作軸支持部２の操作軸２ａ以外の上面が、取り合い調整部７ｂの下端に当接する。この状態より更に操作部本体１を上昇させると、操作部本体１のスリット部２４が拡径し、被係止段部２８と係止歯２５との係合が一段分上下にずれて、操作軸支持部２が操作部本体１に対して位置を降下させる。更に操作部本体１を上昇させると、操作部本体１に対して操作軸支持部２が降下してゆき、最終的に、図７に示したように、操作部本体１の上縁である鍔部２３上面が貫通孔Ｈ周縁の裏側の面に当接した状態となる。この状態となったところで、リング部材２９を押し上げ、操作部本体１の溝部に嵌合させる。これにより、操作部本体１のスリット部２４の拡径が不可能となり、操作部本体１に対して操作軸支持部２が上下方向に移動不能となって固定される。
この時、操作部本体１に対する操作軸支持部２の位置は、位置決め冶具７によって、施工完了時に、ボタン部材３の表側の面が、貫通孔Ｈの周縁の表側の面と略同一面となる位置になるように調整されて固定されている。
即ち、本実施例は、係止歯２５と被係止段部２８からなる位置調整機構により、操作部本体１と操作軸支持部２との間で、操作軸２ａの軸方向に対して位置を調節し、固定する機能を備えた遠隔操作式排水栓装置である。また、この実施例において位置調節機構による位置調節は、係止歯２５と被係止段部２８が上下方向に１ミリメートル単位にて構成されていることから、１ミリメートルという一定のピッチを単位として行われるように構成されている。
尚、本実施例におけるボタン部材３の位置調節は、係止歯２５と被係止段部２８のピッチである１ミリメートル単位にて行われる。このため、本実施例で言う「略同一面」とは、できる限りボタン部材３の表側の面と貫通孔Ｈ周縁の表側の面との段差が無くなる、両者の高低差が１ミリメートル以内となった状態を言う。また、本実施例では、意匠的な観点から、この略面一とする場合において、ボタン部材３が貫通孔Ｈ周縁よりも上方に突出するように操作部本体１に対する操作軸支持部２の位置を調整するものとし、ボタン部材３の表側の面が、貫通孔Ｈ周縁の表側の面よりも下方に配置されることはないものとする。
この状態より、操作部本体１の鍔部２３の開口を介してビス部材Ｖを貫通孔Ｈ側のビス穴部１３に螺合させ、操作部本体１を浴槽Ｂの下方から取り付け固定した後、位置決め冶具７を貫通孔Ｈから引き抜く。
更に浴槽Ｂの表側から弁部材１０を弁軸部１１ｃに、ボタン部材３を操作軸２ａに、それぞれ嵌合固定させて、図１に示したような、遠隔操作式排水栓装置の施工が完了する。
【００２８】
上記のように施工された第一実施例の遠隔操作式排水栓装置は、以下のように操作することで、遠隔操作により排水装置排水口１５を開閉できる。
まず、図１のように、弁部材１０が降下し、弁部材１０の当接部２２が止水面１６ａに当接している状態とする。この時の操作部の状態は、図９に示したようになる。この状態において操作部のボタン部材３に押し込み操作を加えると、図１０に示したように、ボタン部材３内部の弾性部材４がまず１．５ミリメートルほど収縮する。この弾性部材４の収縮段階においては、操作軸２ａは何ら動作しない。尚、このボタン部材３を押し込んでも、弾性部材４が収縮するだけで、操作軸２ａが動作しない状態を以降「空押し」と呼ぶ。弾性部材４が充分に収縮し、これ以上収縮できなくなると、図１１に示したように、弾性部材４を介しボタン部材３に押されるようにして操作軸２ａが押し込まれる。これにより、操作軸２ａがインナーワイヤ１１ｂ側に突出し、それに伴ってインナーワイヤ１１ｂがアウターチューブ１１ａに対し排水装置排水口１５側へ突出し、弁部材１０を押し上げて、止水面１６ａから当接部２２が離間され、図１３に示したように排水装置排水口１５を開口する。使用者がボタン部材３の押し込みを終了させると、スラストロック機構により、この状態にて操作軸２ａが固定され、排水装置排水口１５の開口状態が維持される。また、弾性部材４も開放され、図１２に示したように、収縮状態から１．５ミリメートルほど伸張した状態に戻る。
この状態から再度操作部のボタン部材３に押し込み操作を加えると、図１１に示したように、やはり１．５ミリメートルほど空押しした上で、弾性部材４が充分に収縮し、これ以上収縮できなくなり、ボタン部材３に押されるようにして操作軸２ａが押し込まれる。これによってスラストロック機構が動作し、スラストロック機構による操作軸２ａの固定が解除される。このため、使用者がボタン部材３の押し込みを終了させると、弁部材１０の自重及び戻りスプリングの作用によりインナーワイヤ１１ｂが操作部側に後退し、弁部材１０が降下して当接部２２と止水面１６ａとが当接し、排水装置排水口１５が閉口した図１の状態に戻る。また、弾性部材４も開放され、収縮状態から１．５ミリメートルほど伸張した、図９に示した状態に戻る。
以後、同様の操作を繰り返すことで、遠隔操作的に、排水装置排水口１５の開口／閉口を行うことができ、開口時には浴槽Ｂ内の排水を排出することができる。
【００２９】
上記のように構成した第一実施例の遠隔操作式排水栓装置においては、位置決め冶具７を利用しつつ、操作部本体１と操作軸支持部２との間で位置調整を行っている。このため、図８に示したように、貫通孔Ｈ周辺の壁面の厚みがどの様に変化しても、施工完了時には、ボタン部材３の表側の面を、貫通孔Ｈ周辺の表側の面とほぼ面一とすることができる。
【００３０】
また、本実施例におけるボタン部材３の位置調節は、係止歯２５と被係止段部２８のピッチである１ミリメートル単位にて行われる。このため、本実施例で言う「略同一面」とは、できる限りボタン部材３の表側の面と貫通孔Ｈ周縁の表側の面との段差が無くなる、両者の高低差が１ミリメートル以内となる状態を示すものである。また、本実施例では、意匠的な観点から、この略面一とする場合において、ボタン部材３が貫通孔Ｈ周縁よりも突出するように操作部本体１に対する操作軸支持部２の位置を調整してなる。このため、施工完了時に、ボタン部材３の表側の面が、貫通孔Ｈ周縁の表側の面と、完全に同一の状態から、１ミリメートル程度上方に突出している状態か、それらの中間までのいずれかの状態になる。しかしながら、以下の理由によって、本実施例では、ボタン部材３の表側の面が、貫通孔Ｈ周縁の表側の面よりも突出している場合の機能的及び意匠的な問題を解消している。
ボタン部材３が貫通孔Ｈ周縁よりも突出していることによる、機能的な問題としては、段落０００９の理由１．に記載したように、ボタン部材３が貫通孔Ｈ周縁のよりも突出しているため、浴槽Ｂに風呂蓋を被せたり、浴槽Ｂの使用者が誤ってボタン部材３に触れた時に、ボタン部材３を貫通孔Ｈ周縁と面一になるまで押し込んでしまい、結果遠隔操作式排水栓装置が誤作動してしまう、という問題が上げられる。しかしながら、本実施例の遠隔操作式排水栓装置では、ボタン部材３に弾性部材４を組み込み、ボタン部材３を１．５ミリメートル程空押しする構成としている。本実施例においては、係止歯２５及び係止段部の上下方向のピッチの関係から、ボタン部材３が貫通孔Ｈ周縁から最も突出した場合でもその高低差は１ミリメートル迄であり、従って図１０に示したような、従ってボタン部材３を貫通孔Ｈ周縁より更に０．５ミリメートルは下方に押し込まなければ操作軸２ａの動作は起こらず、当然遠隔操作式排水栓装置が作動することもない。このように、本実施例では、ボタン部材３と操作軸２ａのとの間の空押しの長さを、位置調節機構の位置調節のピッチの一単位よりも若干（０．５ミリメートル）大きな幅となるようにすることで、ボタン部材３を貫通孔Ｈ周縁と完全に面一になるまで押し込んだだけでは、ボタン部材３が確実に空押しとなり、遠隔操作式排水栓装置が誤作動を起こすことを防ぐ構成としている。
ボタン部材３が貫通孔Ｈ周縁よりも突出していることによる、意匠的な問題としては、ボタン部材３の表側の面が平端面であるため、ボタン部材３の表側の面は、同じ平端面である貫通孔Ｈ周縁、ひいては浴槽Ｂの上縁部分の平面と完全に面一であるほうが、意匠的な美観が整うものであり、ボタン部材３の突出はこの美観を損ねる、という問題が上げられる。
しかしながら、浴槽Ｂや浴室の全体から見た場合、１ミリメートルという長さはごくわずかな長さに過ぎない。例えば、浴室の床面から浴槽Ｂの上端面までの高さ幅は「またぎ高さ」と呼ばれるが、このまたぎ高さは通常３６０ミリメートル乃至４５０ミリメートル程度であり、１ミリメートルとはこのまたぎ高さの０．３パーセント弱の幅でしかない。浴槽Ｂや浴室を通常使用する限り、ボタン部材３は上方乃至斜め上方の位置からしか視認する場合しかなく、ボタン部材３の突出の幅が浴槽Ｂや浴室の全体から見た場合ごくわずかであることから、使用者にはこのボタン部材３の１ミリメートル以下の突出を認識することはほぼ不可能である。特に本実施例では、ボタン部材３の周縁に半径１ミリメートルの円弧を設け、また貫通孔Ｈの周縁にも面取り１４を設けて、この円弧と面取り１４によりボタン部材３の外周と、貫通孔Ｈの周縁の境界となる部分において、ボタン部材３と貫通孔Ｈ周縁の間での段差の有無を認識し難く構成しており、ボタン部材３と貫通孔Ｈ周縁の上面の高低差が１ミリメートル以下しか生じないという工夫とあわせ、ボタン部材３が貫通孔Ｈ周縁と完全に面一であるように感じさせ、意匠的な美観が整うように構成されてなる。
尚、この「ボタン部材３の表側の面は、同じ平端面である貫通孔Ｈ周縁、ひいては浴槽Ｂの上縁部分の平面と完全に面一であるほうが、意匠的な美観が整う」という感覚はあくまでも主観的なものである。このため、ボタン部材３が貫通孔Ｈ周縁よりも充分に突出している方が、使用者によって好まれる場合もありうるものと考えられる。
【００３１】
次に、本発明の第二実施例を、図面を参照しつつ説明する。図１４乃至図２４に示した、本発明の第二実施例の遠隔操作式排水栓装置は、請求項１、請求項３、請求項５、請求項８乃至請求項１１に対応する実施例であって、以下に記載する、槽体としての浴槽Ｂ、接続部材、排水栓本体８、支持部材９、弁部材１０、レリースワイヤ１１、操作部、ガイド管３０、及び位置決め用冶具から構成される。
この内、浴槽Ｂ、接続部材、排水栓本体８、支持部材９、弁部材１０、レリースワイヤ１１は、段落００２４に記載した、第一実施例の各部材と同一なため説明は省略する。
操作部は、以下に記載する操作部本体１、操作軸支持部２、ボタン部材３、から構成されてなる。
操作部本体１は、貫通孔Ｈ裏面に取り付けられるアダプター部材１ａと、該アダプター部材１ａに下方から接続される支持部収納部材１ｂと、排水栓側Ｃ字リング２１と、から構成されてなる。
更に詳述すると、アダプター部材１ａは、略円筒形状の部材であって、その内径は貫通孔Ｈの内径とほぼ同一であり、また上方にビス部材Ｖを挿通するための開口を複数設けた鍔部２３を備えてなる。また中間部分の外側面には操作部側係合部３２を、更にその下方であって側面方向には環状パッキングＰを、それぞれ配置してなる。また内周面に沿って、雌ネジ部３１を備えてなる。この雌ネジ部３１は、施工完了時のボタン部材３の動作を妨げないように、その高さ位置を設定されて設けられてなる。
また、支持部収納部材１ｂは、略円筒形状の部材であって、上端部分の外周面には、操作部側係合部３２を備えてなり、また上端の開口内部はアダプター部材１ａの下部を収納するように構成されてなる。また、支持部収納部材１ｂの内部には、操作軸支持部２を着脱自在に収納固定するように構成されてなる。
操作部側Ｃ字リング３５は断面内向きに開口したコの字を成す、平面視Ｃ字形状の部材であって、アダプター部材１ａと支持部収納部材１ｂとにそれぞれ設けられた操作部側係合部３２と係合して、アダプター部材１ａと支持部収納部材１ｂとを接続固定する部材である。
操作軸支持部２は、円筒形状の部材であって、その下端部分には、施工完了時レリースワイヤ１１のアウターチューブ１１ａの一端が接続されると共に、その内部に、下端がインナーワイヤ１１ｂに当接する操作軸２ａを備えてなる。また、該操作軸２ａの上端には、上方の側面に周縁に沿って突部２７を備えてなる。
また、操作軸支持部２の内部には、施工完了時レリースワイヤ１１の戻りスプリングを利用して機能する、スラストロック機構と呼ばれる機構を備えてなる。該スラストロック機構は、操作軸２ａに上方から押し込み操作を加える毎に、操作軸２ａを前進（降下）して固定／固定を解除してレリースワイヤ１１のインナーワイヤ１１ｂに付勢されて後退（上昇）、を繰り返すように動作する。
更に該操作軸２ａの外周面には、後述するストッパー部材３３の係止歯２５に係合される、上下方向のピッチ幅が１ミリメートルの被係止段部２８が上下方向に複数段重ねるように設けられてなる。尚、操作軸支持部２の円筒部３ａ分の外径は、貫通孔Ｈの内径よりも小径に構成されてなり、支持部収納部材１ｂから操作軸支持部２を取り出した際に、操作軸支持部２をアダプター部材１ａの内部及び貫通孔Ｈを介して浴槽Ｂの表側に取り出すことができるように構成されてなる。
ストッパー部材３３は、円筒形状にして側面にスリット部２４を備えると共に、操作軸２ａの被係止段部２８に係合される係止歯２５を備えた部材であって、更に施工完了時に、ストッパー部材３３の外周に嵌合することでスリット部２４の拡径を防止するリング部材２９を備えてなる。
ボタン部材３は、アダプター部材１ａの内周面よりも若干小径な外径を有した円板状の部材であって、下面中央に円筒部３ａを備え、該円筒部３ａは操作軸２ａを収納した状態で上下にスライドすると共に、下端部内周部分に、操作軸２ａの突部２７と係合し、比較的強い力（通常の使用では生じることはなく、ボタン部材３を意図的に外そうとしない限り生じない程度の力）で引き上げなければ操作軸２ａから外れない抜け止め部３ｂを備えてなる。上記のように、この実施例においては、操作軸２ａの突部２７と、ボタン部材３の抜け止め部３ｂとで、ボタン部材３が操作部から飛び出すことを防止する係止機構を構成してなる。またボタン部材３の外縁部分には、半径１ミリメートルの円弧を円周に沿って設けられてなる。
また、該ボタン部材３の円筒部３ａの下端部分に、スプリングからなる上下方向に伸縮する弾性部材４を備えてなる。該弾性部材４は、ボタン部材３の重量には反発し、上下方向に収縮する事はないが、施工完了時に、ボタン部材３に押し込み操作が行われると、上下方向に１．５ミリメートル程度収縮した後に、操作軸２ａに押し込み操作が伝達されるように構成されてなる。
位置決め冶具７は、貫通孔Ｈの表側の面の周縁に当接する円盤状の当接リブ７ａと、内部に操作軸２ａ部を収納しつつ、下端がストッパー部材３３に当接する円筒状の取り合い調整部７ｂと、下端にアダプター部材１ａの雌ネジ部３１と螺合する雄ネジ部７ｄを備えた、冶具固定機構としての冶具固定部７ｃと、からなる。
また、取り合い調整部７ｂの、当接リブ７ａ下面から取り合い調整部７ｂの先端部分までの幅は、施工時、位置決め冶具７の当接リブ７ａを貫通孔Ｈ周縁に当接させた状態で、操作軸２ａのストッパー部材３３上面が、取り合い調整部７ｂの先端部分に当接している位置に固定できれば、施工完了時に、ボタン部材３の表側の面が貫通孔Ｈの周縁の表側の面と略同一面となるように、設計時点で調整されてなる。
ガイド管３０は、軸方向に剛性を、側面方向に可撓性を備えた塩化ビニールからなる長い筒状の部材であって、一端は排水栓本体８の挿通筒１９に、他端は支持部収納部材１ｂの下端部分に、それぞれ接続される。
【００３２】
以上のように構成した本発明の第二実施例の遠隔操作式排水栓装置は、以下のようにして槽体である浴槽Ｂに施工・取り付けされる。尚詳述はしないが、特に記載の無い場合でも、部材同士の接続箇所において、水密性が必要とされる部分にはパッキングなどを用いて水密的な接続が行われる。
まず工場等において、槽体排水口１２に接続部材を、貫通孔Ｈにアダプター部材１ａを、それぞれ取り付け固定する。槽体排水口１２と接続部材との取り付けにおいては、接続部材を浴槽Ｂの下方に配置した上で、冶具などを利用し、槽体排水口１２と排水装置排水口１５とを同心円状に配置し、フランジ部１６の開口を介してビス部材Ｖをビス穴部１３に螺合させ、接続部材を浴槽Ｂの下方から取り付け固定する。また、貫通孔Ｈとアダプター部材１ａとの接続においては、アダプター部材１ａを浴槽Ｂの下方に配置した上で、冶具などを利用し、貫通孔Ｈとアダプター部材１ａとを同心円状に配置し、鍔部２３の開口を介してビス部材Ｖをビス穴部１３に螺合させ、アダプター部材１ａを浴槽Ｂの下方から取り付け固定する。
更に、位置決め冶具７の取り合い調整部７ｂ及び冶具固定部７ｃを、貫通孔Ｈに挿通し、冶具固定部７ｃの雄ネジ部７ｄを、アダプター部材１ａの雌ネジ部３１に、当接リブ７ａ下面が貫通孔Ｈ周縁の上面に当接するまで螺合させる。この雄ネジ部７ｄと雌ネジ部３１の螺合が、仮固定機構として機能する。
また、同じく工場にて、以下の手順にて、遠隔操作式排水栓装置の一部の組み立てを行う。
まずガイド管３０の一端を排水栓本体８の挿通筒１９に、他端を支持部収納部材１ｂの下端に、それぞれ接続する。
次に、レリースワイヤ１１の弁軸部１１ｃを備えない側の端部に操作軸支持部２を接続した上で、レリースワイヤ１１を支持部収納部材１ｂに上方から挿通し、最終的に操作軸支持部２を支持部収納部材１ｂに収納固定させる。この時、レリースワイヤ１１の先端は、ガイド管３０、及び挿通筒１９を介して、排水栓本体８内部に配置させる。
更に、レリースワイヤ１１端部を引き上げ、支持部材９にレリースワイヤ１１端部を接続固定した上で、支持部材９を排水栓本体８の凹凸部２０に嵌合させて固定する。
また、ストッパー部材３３の係止歯２５を、操作軸２ａの最も上方の被係止段部２８に係合させる。
これらの浴槽Ｂや遠隔操作式排水栓装置に対する作業は工場で行われるため、作業空間を広く取ることができ、また作業を容易化する作業台などを設置し、また機材の揃った環境で行うことができる。更に、遠隔操作式排水栓装置の組み立て自体も、浴槽Ｂに接続していないことから、排水栓本体８や操作部本体１などの部材を、作業者が視認しやすく作業しやすい手元に置き、且つ作業しやすい位置・角度に配置したり移動・回転させる等しながら作業を行うことができる。このため、この段階までの遠隔操作式排水栓装置の組み立て作業は、従来例に比較して遙かに容易とすることができる。このようにして、第二実施例の遠隔操作式排水栓装置の排水栓本体８側は、図１６の状態まで組み立てられる（排水口側は、第一実施例とガイド管の有無を除き同じであるため省略）。
【００３３】
次に、上記段落００３２の段階まで組み立てられた浴槽Ｂ及び遠隔操作式排水栓装置と、その他の部材を、施工現場に搬入する。施工現場では、排水栓本体８側、操作部側にそれぞれ以下のような作業が行われる。
排水栓本体８側では、排水栓本体８の上面の開口に、接続部材の下端部分を挿入し、排水栓本体８の排水栓側係合部１７と、接続部材の排水栓側係合部１７とを当接させる。更に排水栓側Ｃ字リング２１を両排水栓側係合部１７と係合させ、排水栓本体８と接続部材とを接続固定する。
このような接続を行う事で、接続部材と排水栓本体８は高さ方向に対しては常に同じ高さ位置、即ち操作部本体１の操作部側係合部３２と、接続アダプターの操作部側係合部３２とが当接した状態となる高さ位置に接続される。このため、接続部材に設けられた止水面１６ａに対して、排水栓本体８は定まった高さ位置に配置される。  
【００３４】
操作部側では、支持部収納部材１ｂの上方の開口に、アダプター部材１ａの下端部分を挿入し、支持部収納部材１ｂの操作部側係合部３２と、アダプター部材１ａの操作部側係合部３２とを当接させる。
この時、操作軸２ａに配置されたストッパー部材３３は以下のように動作し、位置調整される。
支持部収納部材１ｂを上昇させてゆくと、図１７に示したように、操作軸２ａに配置されたストッパー部材３３の上面が、取り合い調整部７ｂの下端に当接する（操作軸２ａは取り合い調整部７ｂの内部に収納され、取り合い調整部７ｂに当接しない）。
この状態より更に支持部収納部材１ｂを上昇させると、図１８に示したように、操作軸２ａが操作軸支持部２に対して下限となる位置まで降下する（元々操作軸２ａは、操作軸支持部２に対し進退するように構成されている）。この状態以降、操作軸２ａは操作軸支持部２に対し降下できなくなるため、更に支持部収納部材１ｂを上昇させると、ストッパー部材３３のスリット部２４が拡径し、被係止段部２８と係止歯２５との係合が一段分上下にずれて、ストッパー部材３３が操作軸２ａに対して位置を降下させるようになる。更に支持部収納部材１ｂを上昇させると、図１９に示したように、操作軸２ａに対してストッパー部材３３が降下してゆき、最終的に支持部収納部材１ｂの操作部側係合部３２と、アダプター部材１ａの操作部側係合部３２とが当接した状態となる。
この作業においては、位置決め冶具７がアダプター部材１ａにネジを利用して固定されているため、施工者は位置決め冶具７を浴槽Ｂの表側から押さえる必要が無く、浴槽Ｂの裏側から、支持部収納部材１ｂを押し上げる作業に集中でき、作業を極めて容易に行うことができる。
更に操作部側Ｃ字リング３５を両操作部側係合部３２と係合させ、アダプター部材１ａと支持部収納部材１ｂとを接続固定する。
更に浴槽Ｂの表側から位置決め冶具７を回転させて、雄ネジ部７ｄと雌ネジ部３１の螺合を解除し、位置決め冶具７を取り出した上で、リング部材２９をストッパー部材３３に外嵌させる。これにより、ストッパー部材３３のスリット部２４の拡径が不可能となり、操作軸２ａに対してストッパー部材３３が上下方向に移動不能となって固定される。
更にボタン部材３を操作軸２ａに嵌合固定させる。ボタン部材３は、ボタン部材３の円筒部３ａの下端が、弾性部材４を介してストッパー部材３３に載置されるように配置されるため、施工完了時のボタン部材３の高さ位置は、ストッパー部材３３によって調整される。そして、操作軸２ａに対するストッパー部材３３の位置は、位置決め冶具７によって、施工完了時に、ボタン部材３の表側の面が、貫通孔Ｈの周縁の表側の面と略同一面となる位置になるように調整されて固定されている。
即ち、本実施例は、係止歯２５と被係止段部２８からなる位置調整機構により、操作軸２ａとボタン部材３の間で、操作軸２ａの軸方向に対して位置を調節し、固定する機能を備えた遠隔操作式排水栓装置である。また、この実施例において位置調節機構による位置調節は、係止歯２５と被係止段部２８が上下方向に１ミリメートル単位にて構成されていることから、１ミリメートルという一定のピッチを単位として行われるように構成されている。
尚、本実施例におけるボタン部材３の位置調節は、係止歯２５と被係止段部２８のピッチである１ミリメートル単位にて行われる。このため、本実施例で言う「略同一面」とは、できる限りボタン部材３の表側の面と貫通孔Ｈ周縁の表側の面との段差が無くなる、両者の高低差が１ミリメートル以内となった状態を言う。また、本実施例では、意匠的な観点から、この略面一とする場合において、ボタン部材３が貫通孔Ｈ周縁よりも上方に突出するように操作部本体１に対する操作軸支持部２の位置を調整するものとし、ボタン部材３の表側の面が、貫通孔Ｈ周縁の表側の面よりも下方に配置されることはないものとする。
最後に、浴槽Ｂの表側から弁部材１０を弁軸部１１ｃに嵌合固定させて、遠隔操作式排水栓装置の施工が完了する。
尚、操作軸２ａは操作軸支持部２に対して進退するように構成されており、上記した施工時の被係止段部２８と係止歯２５との係合にずれを生じる際に、操作軸２ａが進退を生じるのに必要な押し込み力と、被係止段部２８と係止歯２５との係合にずれを生じる為にストッパー部材３３に加える必要のある押し込み力の大小関係から、ストッパー部材３３が操作軸２ａ上を動作する際に、
１．操作軸２ａが操作軸支持部２に対し動作しないまま、ストッパー部材３３が操作軸２ａ上を動作する場合
２．まず操作軸２ａが操作軸支持部２に対し最も下方まで降下し、操作軸２ａが下限に達して移動できなくなった後、ストッパー部材３３が操作軸２ａ上を動作する場合
のいずれかとなる。
通常は、遠隔操作式排水栓装置の円滑な操作を行うことを目的として、操作軸２ａは操作軸支持部２に対してできる限り滑らかに進退するように構成するため、２．の場合になることが多く、本実施例でも上述のように、２．の場合に対応した構成としている。しかし、例えば施工時には操作軸２ａを操作軸支持部２に固定するようにして、１．の場合での施工を行うことも可能であり、いずれかの構造にするかは必要に応じて適宜選択するものである。
【００３５】
上記のように施工された第二実施例の遠隔操作式排水栓装置は、段落００２８に記載した第一実施例の遠隔操作式排水栓装置と同様に操作することで、遠隔操作により排水装置排水口１５を開閉できる。また、上記のように構成した第二実施例の遠隔操作式排水栓装置においては、位置決め冶具７を利用しつつ、操作軸２ａとボタン部材３との間で位置調整を行っている。このため、貫通孔Ｈ周辺の壁面の厚みがどの様に変化しても、施工完了時には、ボタン部材３の表側の面を、貫通孔Ｈ周辺の表側の面とほぼ面一とすることができる。
また、本実施例におけるボタン部材３の位置調節は、係止歯２５と被係止段部２８のピッチである１ミリメートル単位にて行われる。このため、本実施例で言う「略同一面」とは、できる限りボタン部材３の表側の面と貫通孔Ｈ周縁の表側の面との段差が無くなる、両者の高低差が１ミリメートル以内となる状態を示すものである。また、本実施例では、意匠的な観点から、この略面一とする場合において、ボタン部材３が貫通孔Ｈ周縁よりも上方に突出するように操作部本体１に対する操作軸支持部２の位置を調整してなる。このため、施工完了時に、ボタン部材３の表側の面が、貫通孔Ｈ周縁の表側の面と、完全に同一の状態から、１ミリメートル程度上方に突出している状態までのいずれかの状態になる。しかしながら、段落００３０に記載した、第一実施例と同じ作用・効果によって、本実施例では、ボタン部材３の表側の面が、貫通孔Ｈ周縁の表側の面よりも突出している場合の機能的及び意匠的な問題を解消している。
尚、本実施例と第一実施例とでは、弾性部材４を配置した位置が異なるが、本実施例のように、弾性部材４をストッパー部材３３とボタン部材３の円筒部３ａの間に配置しても、図２０乃至図２３に示したような過程を経て、弾性部材４は第一実施例と同じように機能し、第一実施例と同じ作用・効果を得ることができる。
【００３６】
また、上記のように構成した第二実施例の遠隔操作式排水栓装置において、弁部材１０、ボタン部材３、円弧ガイド部材、レリースワイヤ１１等に破損が生じた場合、以下のような手順で部材を取り外し、破損のない同部品と交換できる。
まず弁部材１０及びボタン部材３をレリースワイヤ１１より脱着する。次いで、支持部材９を排水栓本体８から取り外した後、支持部材９とレリースワイヤ１１の接続を解除する。次に、操作軸支持部２と支持部収納部材１ｂとの接続固定を解除し、貫通孔Ｈからレリースワイヤ１１を浴槽Ｂの表側に引き上げる。このようにして、操作部側は図２４に示したような状態となる。
これらの手順で部材を取り出し、必要に応じて部材の交換を行った上で、逆の手順により遠隔操作式排水栓装置を再度組み立てる。つまり、レリースワイヤ１１を貫通孔Ｈを介して浴槽Ｂの表側から挿入し、ガイド管３０を介して先端を排水栓本体８内に配置する。更に、レリースワイヤ１１端部を浴槽Ｂ排水口から引き上げ、支持部材９にレリースワイヤ１１端部を接続固定した上で、支持部材９を排水栓本体８の凹凸部２０に嵌合させて固定する。更に浴槽Ｂの表側から弁部材１０を弁軸部１１ｃに嵌合固定させて、遠隔操作式排水栓装置の部材交換が完了する。
これらの作業は、全て浴槽Ｂの表側から行うことができ、浴槽Ｂを一部解体して浴槽Ｂの裏側より手を加えるなどの必要がなく、メンテナンスを容易に行うことができる。また、環状パッキングＰ等を利用して、貫通孔Ｈから操作部、チューブ管、エルボ部材まで漏水が生じないように構成しているため、浴槽Ｂ下の床面等、浴槽Ｂの裏側の面側に漏水が生じる事が無く、漏水よってカビが生じたり、床面が痛む、と言った問題が生じない。
【００３７】
次に、本発明の第三実施例を、図面を参照しつつ説明する。図２５乃至図３１に示した、本発明の第三実施例の遠隔操作式排水栓装置は、請求項１、請求項４、請求項５、請求項８乃至請求項１１に対応する実施例であって、以下に記載する、槽体としての浴槽Ｂ、接続部材、排水栓本体８、支持部材９、弁部材１０、レリースワイヤ１１、操作部、ガイド管３０、及び位置決め用冶具から構成される。
この内、浴槽Ｂ、接続部材、排水栓本体８、支持部材９、弁部材１０、レリースワイヤ１１は、段落００２４に記載した、第一実施例の各部材と同一なため説明は省略する。
操作部は、以下に記載する操作部本体１、操作軸支持部２、バンド部材３４、ボタン部材３、から構成されてなる。
操作部本体１は、貫通孔Ｈ裏面に取り付けられるアダプター部材１ａと、該アダプター部材１ａに下方から接続される支持部収納部材１ｂと、から構成されてなる。
更に詳述すると、アダプター部材１ａは、略円筒形状の部材であって、その内径は貫通孔Ｈの内径とほぼ同一であり、また上方にビス部材Ｖを挿通するための開口を複数設けた鍔部２３を備えてなる。また外周面には、後述する支持部収納部材１ｂの係止歯２５に係合される、上下方向のピッチ幅が１ミリメートルの被係止段部２８が上下方向に複数段重ねるように設けられてなると共に、この被係止段部２８の下方に、円周に沿って環状パッキングＰを配置してなる。また内周面に沿って、雌ネジ部３１を備えてなる。この雌ネジ部３１は、施工完了時のボタン部材３の動作を妨げないように、その高さ位置を設定されて設けられてなる。
また、支持部収納部材１ｂは、略円筒形状の部材であって、上方にスリット部２４を複数箇所設けてなる。また、該スリット部２４によって分けられる、支持部収納部材１ｂの上端部分の内周面側には、一つ当たりの上下方向の幅が１ミリメートル程度の係止歯２５が上下に数段重なるように設けられてなる。また、該係止歯２５を備えた部分の外周面側には、凹溝２６が周縁に沿って設けられてなる。
また上端の開口内部はアダプター部材１ａを下方から収納するように構成されてなる。また、支持部収納部材１ｂの内部には、操作軸支持部２を着脱自在に収納固定するとように構成されてなる。
操作軸支持部２は、円筒形状の部材であって、その下端部分には、施工完了時レリースワイヤ１１のアウターチューブ１１ａの一端が接続されると共に、その内部に、下端がインナーワイヤ１１ｂに当接する操作軸２ａを備えてなる。また、該操作軸２ａの上端には、上方の側面に周縁に沿って突部２７を備えてなる。
また、操作軸支持部２の内部には、施工完了時レリースワイヤ１１の戻りスプリングを利用して機能する、スラストロック機構と呼ばれる機構を備えてなる。該スラストロック機構は、操作軸２ａに上方から押し込み操作を加える毎に、操作軸２ａを前進（降下）して固定／固定を解除してレリースワイヤ１１のインナーワイヤ１１ｂに付勢されて後退（上昇）、を繰り返すように動作する。
尚、操作軸支持部２の円筒部３ａ分の外径は、貫通孔Ｈの内径よりも小径に構成されてなり、支持部収納部材１ｂから操作軸支持部２を取り出した際に、操作軸支持部２をアダプター部材１ａの内部及び貫通孔Ｈを介して浴槽Ｂの表側に取り出すことができるように構成されてなる。
バンド部材３４はリング形状の一部を切り欠きした形状の部材であって、且つ切り欠き部分の両端を結合する機能を有してなり、施工完了時操作部本体１の凹溝２６に外嵌されて切り欠き部分の両端を結合することで、リング形状を成してスリット部２４の拡径を防止する部材である。
ボタン部材３は、操作部本体１の内周面よりも若干小径な外径を有した円板状の部材であって、下面中央に円筒部３ａを備え、該円筒部３ａは操作軸２ａを収納した状態で上下にスライドすると共に、下端部内周部分に、操作軸２ａの突部２７と係合し、比較的強い力（通常の使用では生じることはなく、ボタン部材３を意図的に外そうとしない限り生じない程度の力）で引き上げなければ操作軸２ａから外れない抜け止め部３ｂを備えてなる。上記のように、この実施例においては、操作軸２ａの突部２７と、ボタン部材３の抜け止め部３ｂとで、ボタン部材３が操作部から飛び出すことを防止する係止機構を構成してなる。またボタン部材３の外縁部分には、半径１ミリメートルの円弧を円周に沿って設けられてなる。
また、該ボタン部材３の円筒部３ａ内に、スプリングからなる上下方向に伸縮する弾性部材４を備えてなる。該弾性部材４は、ボタン部材３の重量には反発し、上下方向に収縮する事はないが、施工完了時に、ボタン部材３に押し込み操作が行われると、上下方向に１．５ミリメートル程度収縮した後に、操作軸２ａに押し込み操作が伝達されるように構成されてなる。
位置決め冶具７は、貫通孔Ｈの表側の面の周縁に当接する円盤状の当接リブ７ａと、外径がほぼ操作部本体１の内径と同じ径を成す円筒状の取り合い調整部７ｂと、下端にアダプター部材１ａの雌ネジ部３１と螺合する雄ネジ部７ｄを備えた、冶具固定機構としての冶具固定部７ｃと、からなる。
取り合い調整部７ｂの、当接リブ７ａ下面から取り合い調整部７ｂの先端部分までの幅は、施工時、位置決め冶具７の当接リブ７ａを貫通孔Ｈ周縁に当接させた状態で、操作軸支持部２の操作軸２ａ以外の上端が取り合い調整部７ｂの先端部分に当接している位置に固定できれば、施工完了時に、ボタン部材３の表側の面が貫通孔Ｈの周縁の表側の面と略同一面となるように、設計時点で調整されてなる。
ガイド管３０は、軸方向に剛性を、側面方向に可撓性を備えた塩化ビニールからなる長い筒状の部材であって、一端はエルボ部材の挿通筒１９に、他端は支持部収納部材１ｂの下端部分に、それぞれ接続される。
【００３８】
以上のように構成した本発明の第三実施例の遠隔操作式排水栓装置は、以下のようにして槽体である浴槽Ｂに施工・取り付けされる。尚詳述はしないが、特に記載の無い場合でも、部材同士の接続箇所において、水密性が必要とされる部分にはパッキングなどを用いて水密的な接続が行われる。
まず工場等において、槽体排水口１２に接続部材を、貫通孔Ｈにアダプター部材１ａを、それぞれ取り付け固定する。槽体排水口１２と接続部材との取り付けにおいては、接続部材を浴槽Ｂの下方に配置した上で、冶具などを利用し、槽体排水口１２と排水装置排水口１５とを同心円状に配置し、フランジ部１６の開口を介してビス部材Ｖをビス穴部１３に螺合させ、接続部材を浴槽Ｂの下方から取り付け固定する。また、貫通孔Ｈとアダプター部材１ａとの接続においては、アダプター部材１ａを浴槽Ｂの下方に配置した上で、冶具などを利用し、貫通孔Ｈとアダプター部材１ａとを同心円状に配置し、鍔部２３の開口を介してビス部材Ｖをビス穴部１３に螺合させ、アダプター部材１ａを浴槽Ｂの下方から取り付け固定する。
更に、位置決め冶具７の取り合い調整部７ｂ及び冶具固定部７ｃを、貫通孔Ｈに挿通し、冶具固定部７ｃの雄ネジ部７ｄを、アダプター部材１ａの雌ネジ部３１に、当接リブ７ａ下面が貫通孔Ｈ周縁の上面に当接するまで螺合させる。この雄ネジ部７ｄと雌ネジ部３１の螺合が、仮固定機構として機能する。
また、同じく工場にて、以下の手順にて、遠隔操作式排水栓装置の一部の組み立てを行う。
まずガイド管３０の一端を排水栓本体８の挿通筒１９に、他端を支持部収納部材１ｂの下端に、それぞれ接続する。
次に、レリースワイヤ１１の弁軸部１１ｃを備えない側の端部に操作軸支持部２を接続した上で、レリースワイヤ１１を支持部収納部材１ｂに上方から挿通し、最終的に操作軸支持部２を支持部収納部材１ｂに収納固定させる。この時、レリースワイヤ１１の先端は、ガイド管３０、及び挿通筒１９を介して、排水栓本体８内部に配置させる。
更に、レリースワイヤ１１端部を引き上げ、支持部材９にレリースワイヤ１１端部を接続固定した上で、支持部材９を排水栓本体８の凹凸部２０に嵌合させて固定する。
これらの浴槽Ｂや遠隔操作式排水栓装置に対する作業は工場で行われるため、作業空間を広く取ることができ、また作業を容易化する作業台などを設置し、また機材の揃った環境で行うことができる。更に、遠隔操作式排水栓装置の組み立て自体も、浴槽Ｂに接続していないことから、排水栓本体８や操作部本体１などの部材を、作業者が視認しやすく作業しやすい手元に置き、且つ作業しやすい位置・角度に配置したり移動・回転させる等しながら作業を行うことができる。このため、この段階までの遠隔操作式排水栓装置の組み立て作業は、従来例に比較して遙かに容易とすることができる。このようにして、第三実施例の遠隔操作式排水栓装置の排水栓本体８側は、図２７の状態まで組み立てられる（排水口側は、第一実施例とガイド管の有無を除き同じであるため省略）。
【００３９】
次に、上記段落００３８の段階まで組み立てられた浴槽Ｂ及び遠隔操作式排水栓装置と、その他の部材を、施工現場に搬入する。施工現場では、排水栓本体８側、操作部側にそれぞれ以下のような作業が行われる。
排水栓本体８側では、排水栓本体８の上面の開口に、接続部材の下端部分を挿入し、排水栓本体８の排水栓側係合部１７と、接続部材の排水栓側係合部１７とを当接させる。更に排水栓側Ｃ字リング２１を両排水栓側係合部１７と係合させ、排水栓本体８と接続部材とを接続固定する。
このような接続を行う事で、接続部材と排水栓本体８は高さ方向に対しては常に同じ高さ位置、即ち操作部本体１の操作部側係合部３２と、接続アダプターの操作部側係合部３２とが当接した状態となる高さ位置に接続される。このため、接続部材に設けられた止水面１６ａに対して、排水栓本体８は定まった高さ位置に配置される。  
【００４０】
操作部側では、支持部収納部材１ｂの上方の開口に、アダプター部材１ａの下端部分を挿入し、更に支持部収納部材１ｂを上昇させてゆくと、アダプター部材１ａの被係止段部２８と、支持部収納部材１ｂの係止歯２５とが係合する。更に支持部収納部材１ｂを上昇させると、支持部収納部材１ｂのスリット部２４が拡径し、被係止段部２８と係止歯２５との係合が一段分上下にずれて、支持部収納部材１ｂがアダプター部材１ａに対して位置を上昇させる。更に支持部収納部材１ｂを上昇させると、図２８に示したように、最終的に操作軸支持部２の操作軸２ａ以外の上面が、取り合い調整部７ｂの下端に当接した状態となる。この状態となったところで、バンド部材３４を操作部本体１の溝部に嵌合させる。これにより、支持部収納部材１ｂのスリット部２４の拡径が不可能となり、アダプター部材１ａに対して支持部収納部材１ｂが上下方向に移動不能となって固定される。
この作業においては、位置決め冶具７がアダプター部材１ａにネジを利用して固定されているため、施工者は位置決め冶具７を浴槽Ｂの表側から押さえる必要が無く、浴槽Ｂの裏側から、支持部収納部材１ｂを押し上げる作業に集中でき、作業を極めて容易に行うことができる。
この時、アダプター部材１ａに対する支持部収納部材１ｂ操作部本体１の位置は、位置決め冶具７によって、施工完了時に、ボタン部材３の表側の面が、貫通孔Ｈの周縁の表側の面と略同一面となる位置になるように調整されて固定されている。
即ち、本実施例は、操作部本体１を、アダプター部材１ａと支持部収納部材１ｂの２つの部品から構成し、係止歯２５と被係止段部２８からなる位置調整機構により、アダプター部材１ａと支持部収納部材１ｂとの間で、操作軸２ａの軸方向に対して位置を調節し、固定する機能を備えた遠隔操作式排水栓装置である。また、この実施例において位置調節機構による位置調節は、係止歯２５と被係止段部２８が上下方向に１ミリメートル単位にて構成されていることから、１ミリメートルという一定のピッチを単位として行われるように構成されている。
尚、本実施例におけるボタン部材３の位置調節は、係止歯２５と被係止段部２８のピッチである１ミリメートル単位にて行われる。このため、本実施例で言う「略同一面」とは、できる限りボタン部材３の表側の面と貫通孔Ｈ周縁の表側の面との段差が無くなる、両者の高低差が１ミリメートル以内となった状態を言う。また、本実施例では、意匠的な観点から、この略面一とする場合において、ボタン部材３が貫通孔Ｈ周縁よりも上方に突出するように操作部本体１に対する操作軸支持部２の位置を調整するものとし、ボタン部材３の表側の面が、貫通孔Ｈ周縁の表側の面よりも下方に配置されることはないものとする。
更に浴槽Ｂの表側から弁部材１０を弁軸部１１ｃに、ボタン部材３を操作軸２ａに、それぞれ嵌合固定させて、遠隔操作式排水栓装置の施工が完了する。
【００４１】
上記のように施工された第三実施例の遠隔操作式排水栓装置は、段落００２８に記載した第一実施例の遠隔操作式排水栓装置と同様に操作することで、図２５及び図２９乃至図３１に示した過程を経て、遠隔操作により排水装置排水口１５を開閉できる。また、上記のように構成した第三実施例の遠隔操作式排水栓装置においては、位置決め冶具７を利用しつつ、操作軸２ａとボタン部材３との間で位置調整を行っている。このため、貫通孔Ｈ周辺の壁面の厚みがどの様に変化しても、施工完了時には、ボタン部材３の表側の面を、貫通孔Ｈ周辺の表側の面とほぼ面一とすることができる。
また、本実施例におけるボタン部材３の位置調節は、係止歯２５と被係止段部２８のピッチである１ミリメートル単位にて行われる。このため、本実施例で言う「略同一面」とは、できる限りボタン部材３の表側の面と貫通孔Ｈ周縁の表側の面との段差が無くなる、両者の高低差が１ミリメートル以内となる状態を示すものである。また、本実施例では、意匠的な観点から、この略面一とする場合において、ボタン部材３が貫通孔Ｈ周縁よりも上方に突出するように操作部本体１に対する操作軸支持部２の位置を調整してなる。このため、施工完了時に、ボタン部材３の表側の面が、貫通孔Ｈ周縁の表側の面と、完全に同一の状態から、１ミリメートル程度上方に突出している状態までのいずれかの状態になる。しかしながら、段落００３０に記載した、第一実施例と同じ作用・効果によって、本実施例では、ボタン部材３の表側の面が、貫通孔Ｈ周縁の表側の面よりも突出している場合の機能的及び意匠的な問題を解消している。
また、上記のように構成された第三実施例の遠隔操作式排水栓装置において、弁部材１０、ボタン部材３、円弧ガイド部材、レリースワイヤ１１等に破損が生じた場合、段落００３６に記載した、第二実施例の遠隔操作式排水栓装置と同じ手順で部材を取り外し、破損のない同部品と交換できる。
【００４２】
次に、本発明の第四実施例を、図面を参照しつつ説明する。図３２乃至図３６に示した、本発明の第四実施例の遠隔操作式排水栓装置は、請求項６に対応する実施例であって、以下に記載する、槽体としての浴槽Ｂ、接続部材、排水栓本体８、支持部材９、弁部材１０、レリースワイヤ１１、操作部、ガイド管３０、から構成される。
この内、浴槽Ｂ、接続部材、排水栓本体８、支持部材９、弁部材１０、レリースワイヤ１１は、段落００２４に記載した、第一実施例の各部材と同一なため説明は省略する。
操作部は、以下に記載する操作部本体１、操作軸支持部２、ボタン部材３、から構成されてなる。
操作部本体１は、貫通孔Ｈ裏面に取り付けられるアダプター部材１ａと、該アダプター部材１ａに下方から接続される支持部収納部材１ｂと、排水栓側Ｃ字リング２１と、から構成されてなる。
更に詳述すると、アダプター部材１ａは、略円筒形状の部材であって、その内径は貫通孔Ｈの内径とほぼ同一であり、また上方にビス部材Ｖを挿通するための開口を複数設けた鍔部２３を備えてなる。
また、支持部収納部材１ｂは、略円筒形状の部材であって、上端部分の外周面には、操作部側係合部３２を備えてなり、また上端の開口内部はアダプター部材１ａの下部を収納するように構成されてなる。また、支持部収納部材１ｂの内部には、操作軸支持部２を着脱自在に収納固定するように構成されてなる。
排水栓側Ｃ字リング２１は断面内向きに開口したコの字を成す、平面視Ｃ字形状の部材であって、アダプター部材１ａと支持部収納部材１ｂとにそれぞれ設けられた操作部側係合部３２と係合して、アダプター部材１ａと支持部収納部材１ｂとを接続固定する部材である。
操作軸支持部２は、円筒形状の部材であって、その下端部分には、施工完了時レリースワイヤ１１のアウターチューブ１１ａの一端が接続されると共に、その内部に、下端がインナーワイヤ１１ｂに当接する操作軸２ａを備えてなる。また、該操作軸２ａの上端には、上方の側面に周縁に沿って突部２７を備えてなる。尚、操作軸２ａは、施工完了時、排水口が閉口し、且つ使用者が何らかの操作を遠隔操作式排水栓装置に行っていない状態における、操作軸２ａの上端の高さ位置が、アダプター部材１ａの上端と同じ位置となるように設計されてなる。
また、操作軸支持部２の内部には、施工完了時レリースワイヤ１１の戻りスプリングを利用して機能する、スラストロック機構と呼ばれる機構を備えてなる。該スラストロック機構は、操作軸２ａに上方から押し込み操作を加える毎に、操作軸２ａを前進（降下）して固定／固定を解除してレリースワイヤ１１のインナーワイヤ１１ｂに付勢されて後退（上昇）、を繰り返すように動作する。
ボタン部材３は、アダプター部材１ａの内周面よりも若干小径な外径を有した、下方が開口となるように施工される有底円筒形状の部材であって、下面中央に円筒部３ａを備え、該円筒部３ａは操作軸２ａを収納した状態で上下にスライドすると共に、下端部内周部分に、操作軸２ａの突部２７と係合し、比較的強い力（通常の使用では生じることはなく、ボタン部材３を意図的に外そうとしない限り生じない程度の力）で引き上げなければ操作軸２ａから外れない抜け止め部３ｂを備えてなる。上記のように、この実施例においては、操作軸２ａの突部２７と、ボタン部材３の抜け止め部３ｂとで、ボタン部材３が操作部から飛び出すことを防止する係止機構を構成してなる。また、該ボタン部材３は、ボタン部材３の表側の面が、操作軸２ａの上端から２ミリメートルの高さになる位置まで押し込まれた時、初めて操作軸２ａを押し込む事が可能となるように構成されてなる（その高さ位置に達するまでは空押しとなる）。
また、該ボタン部材３と操作軸支持部２との間部分には、スプリングからなる上下方向に伸縮する弾性部材４を備えてなる。該弾性部材４は、ボタン部材３の重量には反発し、ボタン部材３を上限、即ち抜け止め部３ｂと突部２７とが当接する位置まで押し上げるが、施工完了時に、ボタン部材３に押し込み操作が行われると、上下方向に容易に収縮するように構成されてなる。
尚、ボタン部材３が上限まで押し上げられた場合、ボタン部材３の表側の面は、アダプター部材１ａの上端、即ち貫通孔Ｈ周縁の裏側の面の位置より、約２５ミリメートルほど上方に位置するように構成されてなる。
ガイド管３０は、軸方向に剛性を、側面方向に可撓性を備えた塩化ビニールからなる長い筒状の部材であって、一端はエルボ部材の挿通筒１９に、他端は支持部収納部材１ｂの下端部分に、それぞれ接続される。
【００４３】
以上のように構成した本発明の第四実施例の遠隔操作式排水栓装置は、以下のようにして槽体である浴槽Ｂに施工・取り付けされる。尚詳述はしないが、特に記載の無い場合でも、部材同士の接続箇所において、水密性が必要とされる部分にはパッキングなどを用いて水密的な接続が行われる。
まず工場等において、槽体排水口１２に接続部材を、貫通孔Ｈにアダプター部材１ａを、それぞれ取り付け固定する。槽体排水口１２と接続部材との取り付けにおいては、接続部材を浴槽Ｂの下方に配置した上で、冶具などを利用し、槽体排水口１２と排水装置排水口１５とを同心円状に配置し、フランジ部１６の開口を介してビス部材Ｖをビス穴部１３に螺合させ、接続部材を浴槽Ｂの下方から取り付け固定する。また、貫通孔Ｈとアダプター部材１ａとの接続においては、アダプター部材１ａを浴槽Ｂの下方に配置した上で、冶具などを利用し、貫通孔Ｈとアダプター部材１ａとを同心円状に配置し、鍔部２３の開口を介してビス部材Ｖをビス穴部１３に螺合させ、アダプター部材１ａを浴槽Ｂの下方から取り付け固定する。
また、同じく工場にて、以下の手順にて、遠隔操作式排水栓装置の一部の組み立てを行う。
まずガイド管３０の一端を排水栓本体８の挿通筒１９に、他端を支持部収納部材１ｂの下端に、それぞれ接続する。
次に、レリースワイヤ１１の弁軸部１１ｃを備えない側の端部に操作軸支持部２を接続した上で、レリースワイヤ１１を支持部収納部材１ｂに上方から挿通し、最終的に操作軸支持部２を支持部収納部材１ｂに収納固定させる。この時、レリースワイヤ１１の先端は、ガイド管３０、及び挿通筒１９を介して、排水栓本体８内部に配置させる。
更に、レリースワイヤ１１端部を引き上げ、支持部材９にレリースワイヤ１１端部を接続固定した上で、支持部材９を排水栓本体８の凹凸部２０に嵌合させて固定する。
これらの浴槽Ｂや遠隔操作式排水栓装置に対する作業は工場で行われるため、作業空間を広く取ることができ、また作業を容易化する作業台などを設置し、また機材の揃った環境で行うことができる。更に、遠隔操作式排水栓装置の組み立て自体も、浴槽Ｂに接続していないことから、排水栓本体８や操作部本体１などの部材を、作業者が視認しやすく作業しやすい手元に置き、且つ作業しやすい位置・角度に配置したり移動・回転させる等しながら作業を行うことができる。このため、この段階までの遠隔操作式排水栓装置の組み立て作業は、従来例に比較して遙かに容易とすることができる。このようにして、第四実施例の遠隔操作式排水栓装置の排水栓本体８側は、図３４の状態まで組み立てられる（排水口側は、第一実施例とガイド管の有無を除き同じであるため省略）。
【００４４】
次に、上記段落００４３の段階まで組み立てられた浴槽Ｂ及び遠隔操作式排水栓装置と、その他の部材を、施工現場に搬入する。施工現場では、排水栓本体８側、操作部側にそれぞれ以下のような作業が行われる。
排水栓本体８側では、排水栓本体８の上面の開口に、接続部材の下端部分を挿入し、排水栓本体８の排水栓側係合部１７と、接続部材の排水栓側係合部１７とを当接させる。更に排水栓側Ｃ字リング２１を両排水栓側係合部１７と係合させ、排水栓本体８と接続部材とを接続固定する。
このような接続を行う事で、接続部材と排水栓本体８は高さ方向に対しては常に同じ高さ位置、即ち操作部本体１の操作部側係合部３２と、接続アダプターの操作部側係合部３２とが当接した状態となる高さ位置に接続される。このため、接続部材に設けられた止水面１６ａに対して、排水栓本体８は定まった高さ位置に配置される。  
【００４５】
操作部側では、支持部収納部材１ｂの上方の開口に、アダプター部材１ａの下端部分を挿入し、支持部収納部材１ｂの操作部側係合部３２と、アダプター部材１ａの操作部側係合部３２とを当接させる。
更に操作部側Ｃ字リング３５を両操作部側係合部３２と係合させ、アダプター部材１ａと支持部収納部材１ｂとを接続固定する。
更に浴槽Ｂの表側から弁部材１０を弁軸部１１ｃに、ボタン部材３を操作軸２ａに、それぞれ嵌合固定させて、図３２に示したような状態となり、遠隔操作式排水栓装置の施工が完了する。
このように構成したことで、排水口が閉口し、且つ使用者が何らかの操作を遠隔操作式排水栓装置に行っていない状態においては、ボタン部材３の表側の面が、貫通孔Ｈ周縁の表側の面より突出してなる。具体的なボタン部材３の突出の程度は、貫通孔Ｈ周縁の裏側の面の位置より、約２５ミリメートル上方となるため、貫通孔Ｈ周縁の厚みが４ミリメートルであれば２１ミリメートル、貫通孔Ｈ周縁の厚みが１０ミリメートルであれば１５ミリメートル、それぞれボタン部材３の表側の面が、貫通孔Ｈ周縁の表側の面より突出することとなる。
【００４６】
上記のように施工された第四実施例の遠隔操作式排水栓装置は、以下のように操作することで、遠隔操作により排水装置排水口１５を開閉できる。
まず、弁部材１０が降下し、弁部材１０の当接部２２が止水面１６ａに当接している状態とする。この状態において操作部のボタン部材３に押し込み操作を加えると、ボタン部材３内部の弾性部材４によって、ボタン部材３がまず空押しを生じる。
段落００４２に記載したように、排水口が閉口し、且つ使用者が何らかの操作を遠隔操作式排水栓装置に行っていない状態において、操作軸２ａはアダプター部材１ａの上端と同じ位置であり、且つボタン部材３はボタン部材３の表側の面が、操作軸２ａの上端から２ミリメートルの高さに達した時、初めて操作軸２ａを押し込む事が可能である。従って、貫通孔Ｈ周縁の厚みが４ミリメートル乃至１０ミリメートルである一般的な浴槽Ｂにおいて、本実施例の遠隔操作式排水栓装置を使用する場合、ボタン部材３の表側の面が、貫通孔Ｈ周縁の表側の面と同じ高さとなり、更に下方に降下して、図３５に示したように、貫通孔Ｈ周縁の裏側の面より２ミリメートル高い位置に達するまで、ボタン部材３は空押しを続ける。
ボタン部材３の表側の面が、操作軸２ａの上端より２ミリメートル高い位置に達すると、ボタン部材３に押されるようにして、図３６に示したように、操作軸２ａが下方に押し込まれる。これにより、操作軸２ａがインナーワイヤ１１ｂ側に突出し、それに伴ってインナーワイヤ１１ｂがアウターチューブ１１ａに対し排水装置排水口１５側へ突出し、弁部材１０を押し上げて、止水面１６ａから当接部２２が離間され、排水装置排水口１５を開口する。使用者がボタン部材３の押し込みを終了させると、スラストロック機構により、この状態にて操作軸２ａが固定され、排水装置排水口１５の開口状態が維持される。また、弾性部材４も開放されるため、ボタン部材３は操作軸２ａ上を、抜け止め部３ｂと突部２７とが当接する位置まで上昇した状態に戻る。
この状態から再度操作部のボタン部材３に押し込み操作を加えると、やはりボタン部材３の表側の面が、図３６の状態になるまで空押しした上で、ボタン部材３に押されるようにして操作軸２ａが押し込まれる。これによってスラストロック機構が動作し、スラストロック機構による操作軸２ａの固定が解除される。このため、使用者がボタン部材３の押し込みを終了させると、弁部材１０の自重及び戻りスプリングの作用によりインナーワイヤ１１ｂが操作部側に後退し、弁部材１０が降下して当接部２２と止水面１６ａとが当接し、排水装置排水口１５が閉口した状態に戻る。また、弾性部材４も開放されるため、ボタン部材３は操作軸２ａ上を、抜け止め部３ｂと突部２７とが当接する位置まで上昇した状態に戻る。以後、同様の操作を繰り返すことで、遠隔操作的に、排水装置排水口１５の開口／閉口を行うことができ、開口時には浴槽Ｂ内の排水を排出することができる。
【００４７】
本実施例において、排水口が閉口し、且つ使用者が何らかの操作を遠隔操作式排水栓装置に行っていない状態では、前述のようにボタン部材３の表側の面が、貫通孔Ｈ周縁の表側の面より突出してなる。具体的なボタン部材３の突出の程度は、貫通孔Ｈ周縁の厚みが４ミリメートルであれば２１ミリメートル、貫通孔Ｈ周縁の厚みが１０ミリメートルであれば１５ミリメートル、それぞれボタン部材３の表側の面が、貫通孔Ｈ周縁の表側の面より突出することとなる。しかしながら、以下の理由によって、本実施例では、ボタン部材３の表側の面が、貫通孔Ｈ周縁の表側の面よりも突出している場合の機能的及び意匠的な問題を解消している。
ボタン部材３が貫通孔Ｈ周縁よりも突出していることによる、機能的な問題としては、段落０００９の理由１．に記載したように、ボタン部材３が貫通孔Ｈ周縁のよりも突出しているため、浴槽Ｂに風呂蓋を被せたり、浴槽Ｂの使用者が誤ってボタン部材３に触れた時に、ボタン部材３を貫通孔Ｈ周縁と面一になるまで押し込んでしまい、結果遠隔操作式排水栓装置が誤作動してしまう、という問題が上げられる。しかしながら、本実施例の遠隔操作式排水栓装置では、ボタン部材３に弾性部材４を組み込み、ボタン部材３を貫通孔Ｈ周縁の裏側の面から２ミリメートル程迄の高さ位置に達するまで空押しする構成としている。段落０００９に記載したように、浴槽Ｂなどの槽体の厚みは、品物によってまちまちであるが、多くは４ミリメートルから１０ミリメートル程度の間であるため、この範囲にある浴槽Ｂを使用する限り、ボタン部材３を貫通孔Ｈ周縁の表側の面より更に押し込まなければ操作軸２ａの動作は起こらず、当然遠隔操作式排水栓装置が作動することもない。
このように、本実施例では、ボタン部材３の表側の面が、貫通孔Ｈ周縁の表側の面と同じか、それよりも奥側に押し込まれた位置になるまではボタン部材３が空押しとなり、それよりも下方に移動した状態となった場合に、初めてボタン部材３が操作軸２ａを押し込むように構成してなる。つまり、ボタン部材３を貫通孔Ｈ周縁と完全に面一になるまで押し込んだだけでは、ボタン部材３が確実に空押しとなり、遠隔操作式排水栓装置が誤作動を起こすことを防ぐ構成としている。
ボタン部材３が貫通孔Ｈ周縁よりも突出していることによる、意匠的な問題としては、ボタン部材３の表側の面が平端面であるため、ボタン部材３の表側の面は、同じ平端面である貫通孔Ｈ周縁、ひいては浴槽Ｂの上縁部分の平面と完全に面一であるほうが、意匠的な美観が整うものであり、ボタン部材３の突出はこの美観を損ねる、という問題が上げられる。
しかしながら、意匠的な美観とはあくまで使用者の主観によるものであり、このため、ボタン部材３が貫通孔Ｈ周縁よりも充分に突出している方が、使用者によって好まれる場合もありうるものと考えられる。
また、例えば上記した、「ボタン部材３の表側の面が平端面であるため、ボタン部材３の表側の面は、同じ平端面である貫通孔Ｈ周縁と完全に面一であるほうが意匠的な美観が整う」という問題は、ボタン部材３の表側の面の形状を、平端面ではなく、半円形、円錐台などボタン部材３が貫通孔Ｈ周縁から突出していても違和感を生じない形とするなどして容易に解決できうるものである。
尚、本実施例でのボタン部材３の、貫通孔Ｈ周縁に対する突出の程度は、貫通孔Ｈ周縁の厚みによってまちまちになるため、統一感が無い。しかしながら、この統一感が無い、という点に付いては、特に意匠的な問題が生じることはないと考えられる。なぜならば、浴槽Ｂを個別に見る限り、ほとんどの使用者にとっては、「ボタン部材３が貫通孔Ｈ周縁よりも突出している」以上の意匠的相違を生じるものではない。複数の浴槽Ｂを横並びにして比較すれば、突出の程度の相違に気が付くことも考えられるが、浴槽Ｂを複数横並びに配置することは通常無いので、「ボタン部材３の、貫通孔Ｈ周縁に対する突出の程度が浴槽Ｂごとに異なる」という点は、使用者にとって、気が付くことのない相違に過ぎず、問題を生じることはない。
【００４８】
また、上記のように構成された第四実施例の遠隔操作式排水栓装置において、弁部材１０、ボタン部材３、円弧ガイド部材、レリースワイヤ１１等に破損が生じた場合、段落００３５に記載した、第二実施例の遠隔操作式排水栓装置と同じ手順で部材を取り外し、破損のない同部品と交換できる。
【００４９】
本発明の実施例は以上のようであるが、本発明は上記実施例に限定されるものではなく、主旨を変更しない範囲において自由に変更が可能である。
例えば、上記実施例では、排水配管が備えられる槽体を浴槽Ｂとしているが、本発明は上記実施例に限定されるものではなく、洗面台の洗面ボウル、流し台のシンクなど他の槽体に使用してももちろん構わない。
また上記実施例の遠隔操作式排水栓装置では、スラストロック機構を備え、操作体を押し込むことで排水口の開閉を行うように構成されているが、本発明は上記実施例に限定されるものではなく、スラストロック機構を省略し、操作体から操作軸２ａ、インナーワイヤ１１ｂ、弁軸、弁部材１０までを嵌合などにより固定させ、操作体を押し引きすることで排水口を開閉するように構成しても良い。
また、上記第三実施例では、操作部本体１をアダプター部材１ａと作動部収納部材の２つの部材から構成し、この２つの部材の間で位置調節を行うように構成してなるが、本発明は上記実施例に限定されるものではなく、操作軸２ａを２つの部材から構成したり、ボタン部材３（特に円筒部３ａ）を２つの部材から構成し、その２つの部材の間で位置調節を行うように構成しても構わない。
また、上記第四実施例では、貫通孔Ｈ周縁の厚みが最低でも２ミリメートル以上あるものとして、排水口が閉口し、且つ使用者が何らかの操作を遠隔操作式排水栓装置に行っていない状態において、操作軸２ａの上端はアダプター部材１ａの上端と同じ位置であり、且つボタン部材３の表側の面が、操作軸２ａの上端２ミリメートルの高さ位置に達した際にボタン部材３が操作軸２ａを押し込むように構成してなるが、本発明は上記実施例に限定されるものではなく、
排水口が閉口し、且つ使用者が何らかの操作を遠隔操作式排水栓装置に行っていない状態において、操作軸２ａの上端はアダプター部材１ａの上端より２ミリメートル下方に配置され、且つボタン部材３の表側の面が、操作軸２ａの上端２ミリメートルの高さ位置に達した際にボタン部材３が操作軸２ａを押し込むように構成してもよい。このように構成すれば、ボタン部材３の表側の面がアダプター部材１ａの上端の高さ位置に達した際、つまりボタン部材３が貫通孔Ｈの裏面の高さ位置に達した際に、初めてボタン部材３が操作軸２ａを押し込む構成となり、貫通孔Ｈ周縁の厚みがそれほど薄くなっても、誤作動の生じない遠隔操作式排水栓装置とすることができる。
また、上記各実施例では、遠隔操作式排水栓装置の操作部に加えられた操作を、排水栓本体８の弁部材１０に伝達する部材として、レリースワイヤ１１を採用してなるが、本発明は上記各実施例に限定されるものではなく、例えば排水口の開閉の機構を電動式として操作の伝達を電線を介して行うようにするなど、様々な部材を操作の伝達部材として採用することができる。
【００５０】
また、上記第四実施例では、貫通孔Ｈを円筒形状として構成してなるが、本発明は上記実施例に限定されるものではなく、図３７に示した、請求項６及び請求項７に対応する実施例のように、第四実施例の構造に加えて、貫通孔Ｈの周縁に、貫通孔Ｈの表側から裏側に向けて拡がるテーパー面５を設け、更にボタン部材３の側面に、該テーパー面５と当接する当接面６を設けることで、排水口が閉口または開口した静止状態において、テーパー面５と当接面６とが当接して、ボタン部材３の表側の面が、貫通孔Ｈの周縁の表側の面と略同一面となるように構成してもよい。
【符号の説明】
【００５１】
１      操作部本体            １ａ    アダプター部材
１ｂ    支持部収納部材        ２      操作軸支持部
２ａ    操作軸                ３      ボタン部材  
３ａ    円筒部                ３ｂ    抜け止め部
４      弾性部材              ５      テーパー面
６      当接面                ７      位置決め冶具
７ａ    当接リブ              ７ｂ    取り合い調整部
７ｃ    冶具固定部            ７ｄ    雄ネジ部
８      排水栓本体            ９      支持部材
１０    弁部材                １０ａ  弁体
１０ｂ  嵌合部                １１    レリースワイヤ
１１ａ  アウターチューブ      １１ｂ  インナーワイヤ
１１ｃ  弁軸部                １２    槽体排水口
１３    ビス穴部              １４    面取り
１５    排水装置排水口        １６    フランジ部
１６ａ  止水面                １７    排水栓側係合部
１８    排出口                １９    挿通筒
２０    凹凸部                ２１    排水栓側Ｃ字リング
２２    当接部                ２３    鍔部
２４    スリット部            ２５    係止歯
２６    凹溝                  ２７    突部
２８    被係止段部            ２９    リング部材
３０    ガイド管              ３１    雌ネジ部
３２    操作部側係合部        ３３    ストッパー部材
３４    バンド部材            ３５    操作部側Ｃ字リング
Ｂ      浴槽                  Ｈ      貫通孔
Ｐ      環状パッキング        Ｖ      ビス部材
【図１】
0006019280.tif 000002
【図２】
0006019280.tif 000003
【図３】
0006019280.tif 000004
【図４】
0006019280.tif 000005
【図５】
0006019280.tif 000006
【図６】
0006019280.tif 000007
【図７】
0006019280.tif 000008
【図８】
0006019280.tif 000009
【図９】
0006019280.tif 000010
【図１０】
0006019280.tif 000011
【図１１】
0006019280.tif 000012
【図１２】
0006019280.tif 000013
【図１３】
0006019280.tif 000014
【図１４】
0006019280.tif 000015
【図１５】
0006019280.tif 000016
【図１６】
0006019280.tif 000017
【図１７】
0006019280.tif 000018
【図１８】
0006019280.tif 000019
【図１９】
0006019280.tif 000020
【図２０】
0006019280.tif 000021
【図２１】
0006019280.tif 000022
【図２２】
0006019280.tif 000023
【図２３】
0006019280.tif 000024
【図２４】
0006019280.tif 000025
【図２５】
0006019280.tif 000026
【図２６】
0006019280.tif 000027
【図２７】
0006019280.tif 000028
【図２８】
0006019280.tif 000029
【図２９】
0006019280.tif 000030
【図３０】
0006019280.tif 000031
【図３１】
0006019280.tif 000032
【図３２】
0006019280.tif 000033
【図３３】
0006019280.tif 000034
【図３４】
0006019280.tif 000035
【図３５】
0006019280.tif 000036
【図３６】
0006019280.tif 000037
【図３７】
0006019280.tif 000038
【図３８】
0006019280.tif 000039